(57)【特許請求の範囲】
【請求項１】
第１ガイド部と第２ガイド部とを有する装置本体と、
感光ドラムを有するプロセスカートリッジと、
前記プロセスカートリッジを支持するように構成され、前記感光ドラムの軸線方向と直交するスライド方向において、前記装置本体内の内方位置と、前記装置本体外の外方位置との間を移動するように構成される支持フレームと
を備え、
前記支持フレームは、
前記支持フレームが移動するときに前記第１ガイド部にガイドされる第１被ガイド部と、前記プロセスカートリッジを支持するための第１カートリッジ支持部とを有し、前記スライド方向に延びる第１サイドフレームと、
前記支持フレームが移動するときに前記第２ガイド部にガイドされる第２被ガイド部と、前記プロセスカートリッジを支持するための第２カートリッジ支持部とを有し、前記軸線方向において前記第１サイドフレームに対して間隔を隔てて配置され、前記スライド方向に延びる第２サイドフレームと
を有し、
前記軸線方向における前記第１サイドフレームの寸法は、前記軸線方向および前記スライド方向の両方と直交する直交方向における前記第１サイドフレームの寸法以上であり、
前記軸線方向における前記第２サイドフレームの寸法は、前記直交方向における前記第２サイドフレームの寸法以上であり、
前記プロセスカートリッジが前記支持フレームに支持されている状態において、
前記プロセスカートリッジは、
前記感光ドラムを支持するとともに、前記第１サイドフレームおよび前記第２サイドフレームの下方に配置される下方部分と、
前記第１サイドフレームおよび前記第２サイドフレームの上方に配置される上方部分とを有し、
前記プロセスカートリッジは、
前記下方部分において、前記軸線方向一方の端部に配置される駆動受け部材であって、前記装置本体からの駆動力を受けるように構成される駆動受け部材と、
前記下方部分において、前記軸線方向一方とは反対側の前記軸線方向他方の端部に配置される電極部材であって、前記装置本体からの電力を受けるように構成される電極部材とを有し、
前記装置本体は、
前記プロセスカートリッジの前記下方部分に対して前記軸線方向一方に配置され、前記駆動受け部に係合して前記駆動受け部に駆動力を入力する係合位置と、前記駆動受け部との係合が解除される非係合位置との間を移動するように構成される駆動入力部材と、
前記プロセスカートリッジの前記下方部分に対して前記軸線方向他方に配置され、前記電極部材に接触して前記電極部材に電力を供給する接触位置と、前記電極部材との接触が解除される非接触位置との間を移動するように構成される給電部材と
を備え、
前記駆動入力部材は、
前記給電部材から最も遠い第１端部と、
前記軸線方向において前記第１端部と反対側に配置され、前記給電部材に最も近い第２端部とを有し、
前記駆動入力部材の前記第２端部は、前記駆動入力部材が前記非係合位置に位置している状態で前記直交方向から見て、前記第１ガイド部と前記第２ガイド部との間に配置されており、前記支持フレームが前記内方位置に配置されている状態で前記直交方向から見て、前記第１サイドフレームに重なることを特徴とする、画像形成装置。
【請求項２】
第１ガイド部と第２ガイド部とを有する装置本体と、
感光ドラムを有するプロセスカートリッジと、
前記プロセスカートリッジを支持するように構成され、前記感光ドラムの軸線方向と直
交するスライド方向において、前記装置本体内の内方位置と、前記装置本体外の外方位置
との間を移動するように構成される支持フレームと
を備え、
前記支持フレームは、
前記支持フレームが移動するときに前記第１ガイド部にガイドされる第１被ガイド部
と、前記プロセスカートリッジを支持するための第１カートリッジ支持部とを有し、前記
スライド方向に延びる第１サイドフレームと、
前記支持フレームが移動するときに前記第２ガイド部にガイドされる第２被ガイド部
と、前記プロセスカートリッジを支持するための第２カートリッジ支持部とを有し、前記
軸線方向において前記第１サイドフレームに対して間隔を隔てて配置され、前記スライド
方向に延びる第２サイドフレームと、
前記第１サイドフレームに沿って前記スライド方向に延びる第１補強部材と、
前記第２サイドフレームに沿って前記スライド方向に延びる第２補強部材と、
前記第１サイドフレームと前記第２サイドフレームを連結するビーム部材と
を有し、
前記軸線方向における前記第１サイドフレームの寸法は、前記軸線方向および前記スラ
イド方向の両方と直交する直交方向における前記第１サイドフレームの寸法以上であり、
前記軸線方向における前記第２サイドフレームの寸法は、前記直交方向における前記第
２サイドフレームの寸法以上であり、
前記ビーム部材は、前記第１補強部材に係合する切欠部と、前記第２補強部材に係合する切欠部と、を有することを特徴とする、画像形成装置。
【請求項３】
前記直交方向における前記第１サイドフレームおよび前記第２サイドフレームの寸法は、前記直交方向における前記プロセスカートリッジの寸法の５％以上３０％以下であることを特徴とする、請求項１または請求項２に記載の画像形成装置。
【請求項４】
前記直交方向における前記第１サイドフレームおよび前記第２サイドフレームの寸法は、前記直交方向における前記プロセスカートリッジの寸法の５％以上１０％以下であることを特徴とする、請求項１または請求項２に記載の画像形成装置。
【請求項５】
前記第１サイドフレームおよび前記第２サイドフレームは、前記スライド方向に延びる四角柱形状であることを特徴とする、請求項１または請求項２に記載の画像形成装置。
【請求項６】
前記駆動入力部材を前記係合位置に位置させる第１位置と、前記駆動入力部材を前記非係合位置に位置させる第２位置との間を移動するように構成される第１変位部材をさらに備え、
前記第１変位部材は、前記支持フレームが前記内方位置に配置されている状態で前記直交方向から見て、前記第１サイドフレームに重なることを特徴とする、請求項１に記載の画像形成装置。
【請求項７】
前記給電部材は、
前記駆動入力部材から最も遠い第１端部と、
前記軸線方向において前記第１端部と反対側に配置され、前記駆動入力部材に最も近い第２端部とを有し、
前記給電部材の前記第２端部は、前記給電部材が前記非接触位置に位置している状態で前記直交方向から見て、前記第１ガイド部と前記第２ガイド部との間に配置されており、前記支持フレームが前記内方位置に配置されている状態で前記直交方向から見て、前記第２サイドフレームに重なることを特徴とする、請求項１に記載の画像形成装置。
【請求項８】
前記給電部材を前記接触位置に位置させる第１位置と、前記給電部材を前記非接触位置に位置させる第２位置との間を移動するように構成される第２変位部材をさらに備え、
前記第２変位部材は、前記支持フレームが前記内方位置に配置されている状態で前記直交方向から見て、前記第２サイドフレームに重なることを特徴とする、請求項１に記載の画像形成装置。
【請求項９】
前記装置本体は、
前記駆動入力部材を支持する第１側板と、
前記第１側板に対して前記軸線方向他方に間隔を隔てて配置され、前記給電部材を支持する第２側板と
を有し、
前記第１ガイド部および前記第２ガイド部は、前記第１側板と前記第２側板との間に配置されていることを特徴とする、請求項１に記載の画像形成装置。
【請求項１０】
前記装置本体は、前記給電部材に印加される電力を制御するための電源基板を有し、
前記電源基板は、前記軸線方向において、前記第２側板と前記給電部材との間に配置されていることを特徴とする、請求項９に記載の画像形成装置。
【請求項１１】
前記プロセスカートリッジは、前記装置本体からの駆動力を受けるように構成される駆動受け部材を有し、
前記直交方向における前記第１サイドフレームおよび前記第２サイドフレームの寸法は、前記直交方向における前記駆動受け部材の寸法よりも短いことを特徴とする、請求項１または請求項２に記載の画像形成装置。
【請求項１２】
前記支持フレームは、さらに、前記第１サイドフレームと前記第２サイドフレームとを連結するビーム部材を有することを特徴とする、請求項１に記載の画像形成装置。
【請求項１３】
前記第１サイドフレームは、前記ビーム部材と嵌合する嵌合穴を有し、
前記第２サイドフレームは、前記ビーム部材と嵌合する嵌合穴を有することを特徴とする、請求項１２に記載の画像形成装置。
【請求項１４】
前記支持フレームは、さらに、
前記第１サイドフレームに沿って前記スライド方向に延びる第１補強部材と、
前記第２サイドフレームに沿って前記スライド方向に延びる第２補強部材と、を有することを特徴とする、請求項１に記載の画像形成装置。
【請求項１５】
前記支持フレームは、さらに、前記第１サイドフレームと前記第２サイドフレームを連結するビーム部材を有し、
前記ビーム部材は、前記第１補強部材に係合する切欠部と、前記第２補強部材に係合する切欠部と、を有することを特徴とする、請求項１４に記載の画像形成装置。
【請求項１６】
前記プロセスカートリッジは、前記支持フレームが前記内方位置に配置されている状態で、現像剤像が転写される転写媒体に前記感光ドラムが接触する第１位置と、前記転写媒体から前記感光ドラムが離間する第２位置との間を、前記直交方向に沿って移動するように構成され、
前記装置本体は、前記プロセスカートリッジを前記第１位置へ向かって押圧するように構成される押圧部材を備え、
前記プロセスカートリッジは、前記押圧部材によって押圧される被押圧部を有し、
前記被押圧部は、前記直交方向から見たときに、前記第１サイドフレームおよび前記第２サイドフレームに重なることを特徴とする、請求項１または請求項２に記載の画像形成装置。
【請求項１７】
前記プロセスカートリッジは、
前記装置本体からの駆動力を受けるように構成される駆動受け部材と、
前記支持フレームに支持されている状態で、前記プロセスカートリッジが前記第２位置に位置するように前記被押圧部を付勢する付勢部材と
を備え、
前記装置本体は、前記駆動受け部材に係合して前記駆動受け部材に駆動力を入力するように構成される駆動入力部材を備え、
前記押圧部材は、前記駆動入力部材と前記駆動受け部材との係合が解除された状態で、前記被押圧部に対する押圧を解除することを特徴とする、請求項１６に記載の画像形成装置。
【発明の詳細な説明】
【技術分野】
【０００１】
本発明は、電子写真方式が採用される画像形成装置に関する。
【背景技術】
【０００２】
従来より、装置本体と、装置本体内に配置され、現像剤像を担持するように構成される感光ドラムとを備える、電子写真方式の画像形成装置が知られている。
【０００３】
例えば、４つの感光ドラムを保持し、本体ケーシングに対してスライド自在に着脱されるドラムユニットと、各感光ドラムに対応し、ドラムユニットに対して着脱可能な４つの現像カートリッジとを備えるカラーレーザプリンタが知られている（例えば、特許文献１参照）。
【０００４】
このカラーレーザプリンタでは、ドラムユニットは、感光ドラムの幅方向両端部のそれぞれを支持する１対の側板を有している。現像カートリッジは、１対の側板よりも幅方向内方において、ドラムユニットに装着される。
【０００５】
そのため、ドラムユニットに装着された現像カートリッジは、現像カートリッジのカップリング雌部材に、カップリング雄部材が、側板に設けられるカップリング外側挿通孔を介して進退自在かつ相対回転不能に結合されることにより、本体ケーシングからの駆動力が入力される。
【先行技術文献】
【特許文献】
【０００６】
【特許文献１】特開２００７−１０１６３５号公報
【発明の概要】
【発明が解決しようとする課題】
【０００７】
特許文献１に記載されるカラーレーザプリンタでは、カップリング雄部材とカップリング雌部材との結合を解除するときに、カップリング雄部材を、ドラムユニットのスライド時に側板に干渉しないように、側板よりも幅方向外方まで退避させる必要がある。
【０００８】
その場合、少なくとも側板の厚みの分、カップリング雄部材の移動量を確保する必要があり、装置構成のさらなる小型化を図ることが困難である。
【０００９】
本発明の目的は、画像形成装置の小型化を図ることができる画像形成装置を提供することにある。
【課題を解決するための手段】
【００１０】
本発明の画像形成装置は、第１ガイド部と第２ガイド部とを有する装置本体と、感光ドラムを有するプロセスカートリッジと、プロセスカートリッジを支持するように構成され、感光ドラムの軸線方向と直交するスライド方向において、装置本体内の内方位置と、装置本体外の外方位置との間を移動するように構成される支持フレームとを備える。
【００１１】
支持フレームは、第１サイドフレームと、軸線方向において第１サイドフレームに対して間隔を隔てて配置される第２サイドフレームとを有する。
【００１２】
第１サイドフレームは、支持フレームが移動するときに第１ガイド部にガイドされる第１被ガイド部と、プロセスカートリッジを支持するための第１カートリッジ支持部とを有し、スライド方向に延びる。
【００１３】
第２サイドフレームは、支持フレームが移動するときに第２ガイド部にガイドされる第２被ガイド部と、プロセスカートリッジを支持するための第２カートリッジ支持部とを有し、スライド方向に延びる。
【００１４】
軸線方向における第１サイドフレームの寸法は、軸線方向およびスライド方向の両方と直交する直交方向における第１サイドフレームの寸法以上である。
【００１５】
軸線方向における第２サイドフレームの寸法は、直交方向における第２サイドフレームの寸法以上である。
【００１６】
このような構成によれば、プロセスカートリッジを支持する支持フレームの第１サイドフレームおよび第２サイドフレームは、直交方向において、軸線方向における寸法以下の寸法を有している。
【００１７】
そのため、支持フレームの第１サイドフレームおよび第２サイドフレームを直交方向において小型化することができる。
【００１８】
これにより、第１サイドフレームの直交方向両側のスペース、および、第２サイドフレームの直交方向両側のスペースを利用して、支持フレームの周辺に他の部材を配置することができる。
【００１９】
その結果、画像形成装置の小型化を図ることができる。
【００２０】
また、従来の画像形成装置は、支持フレームは、直交方向に延びる板状部材でプロセスカートリッジを挟んで支持している。そのため、軸線方向における小型化を図る場合には、通常、板状部材の厚さ（軸線方向の寸法）を薄くすることが検討される。
【００２１】
対して、本発明の画像形成装置は、第１サイドフレームおよび第２サイドフレームの直交方向の寸法を短くし、第１サイドフレームの直交方向両側のスペース、および、第２サイドフレームの直交方向両側のスペースを利用することにより、従来の画像形成装置と比べて、画像形成装置のさらなる小型化を図ることができる。
【発明の効果】
【００２２】
本発明によれば、画像形成装置の小型化を図ることができる。
【図面の簡単な説明】
【００２３】
【図１】図１は、本発明の画像形成装置の第１実施形態のプリンタを示す中央断面図である。
【図２】図２は、図１に示すプリンタのＡ−Ａ断面図である。
【図３】図３は、図１に示す支持フレームの前上方から見た斜視図である。
【図４】図４Ａは、図１に示すプロセスカートリッジの左側面図である。図４Ｂは、図１に示すプロセスカートリッジの右側面図である。
【図５】図５は、図２に示すプリンタのＢ−Ｂ断面図である。
【図６】図６は、図５に示すプリンタのＣ−Ｃ断面図である。
【図７】図７は、図５に示すプリンタのＤ−Ｄ断面図である。なお、図７では、支持フレームを明確に示すために、プロセスカートリッジを省略している。
【図８】図８Ａは、図７に示す支持フレームの正面図である。図８Ｂは、図７に示す支持フレームのＥ−Ｅ断面図であって、取っ手部材がロック位置に位置し、ロック部材が突出位置に位置した状態を示す。図８Ｃは、図７に示す支持フレームのＥ−Ｅ断面図であって、取っ手部材がロック解除位置に位置し、ロック部材が収容位置に位置した状態を示す。
【図９】図９は、図５に示すプリンタのＣ−Ｃ断面に相当し、フロントカバーが閉位置から開位置へ移動する途中であって、駆動側直動カムおよび給電側直動カムが押圧位置に位置し、本体カップリングが係合位置に位置し、本体電極が接触位置に位置した状態を示す。
【図１０】図１０は、図２に示すプリンタのＢ−Ｂ断面に相当し、フロントカバーが開位置に位置し、プロセスカートリッジが第２位置に位置した状態を示す。
【図１１】図１１は、図１に示すプリンタのＡ−Ａ断面に相当し、図１０と同じ状態を示す。
【図１２】図１２は、図１に示すプロセスユニットが装置本体から引き出された状態を示す。
【図１３】図１３Ａは、支持フレームの変形例の前上方から見た斜視図である。図１３Ｂは、図１３Ａに示す支持フレームの前上方から見た分解斜視図である。
【図１４】図１４は、第２実施形態のプリンタを説明する説明図である。
【図１５】図１５は、図１４に示すプリンタのＦ−Ｆ断面図を示す。
【図１６】図１６は、図１４に示すプロセスカートリッジの左側面図である。
【図１７】図１７は、図１４に示すプリンタであって、フロントカバーが開位置に位置し、プロセスカートリッジが第２位置に位置した状態を示す。
【図１８】図１８は、図１４に示すプリンタのＦ−Ｆ断面に相当し、図１７と同じ状態を示す。
【発明を実施するための形態】
【００２４】
１．プリンタ
図１に示すように、プリンタ１は、中間転写方式のカラープリンタである。
【００２５】
プリンタ１は、本体開口７を有する装置本体２と、支持フレーム１２と、複数（４つ）のプロセスカートリッジ１３と、スキャナユニット４と、転写ユニット５と、定着ユニット６とを備えている。
【００２６】
本体開口７は、装置本体２の内外を前後方向（スライド方向）に連通するように、装置本体２の前端部に配置されている。本体開口７は、支持フレーム１２および４つのプロセスカートリッジ１３の通過を許容する。
【００２７】
装置本体２は、略ボックス形状を有している。装置本体２は、フロントカバー８と、給紙トレイ９と、排紙トレイ１１とを有している。
【００２８】
フロントカバー８は、本体開口７を閉鎖するように、装置本体２の前端部に配置されている。フロントカバー８は、上下方向に延びる略平板形状を有している。フロントカバー８は、その下端部を支点として、本体開口７を閉鎖する閉位置（図１参照）と、閉位置から前方へ傾倒し、本体開口７を開放する開位置（図１０参照）との間を揺動するように構成されている。
【００２９】
給紙トレイ９は、装置本体２の底部に配置されている。給紙トレイ９は、用紙Ｐを収容するように構成されている。給紙トレイ９内の用紙Ｐは、各種ローラの回転により、所定のタイミングで１枚ずつ、後述する中間転写ベルト２９と後述する二次転写ローラ２３との間に給紙される。
【００３０】
排紙トレイ１１は、装置本体２の上端部に配置されている。排紙トレイ１１は、装置本体２の上面から下方へ凹んでいる。
【００３１】
支持フレーム１２は、装置本体２の上下方向略中央に配置されている。支持フレーム１２は、後で詳述するが、前後方向に延びる略枠形状を有している。支持フレーム１２は、プロセスカートリッジ１３の上下方向略中央部分を支持している。
【００３２】
４つのプロセスカートリッジ１３は、前後方向に互いに間隔を隔てて配置されている。プロセスカートリッジ１３は、ドラムユニット１４と、現像ユニット１５とを備えている。
【００３３】
ドラムユニット１４は、感光ドラム１６と、帯電ローラ１７と、ドラムクリーナ３４とを備えている。
【００３４】
感光ドラム１６は、ドラムユニット１４の下端部に配置されている。感光ドラム１６は、左側面視反時計回りに回転するように構成されている。
【００３５】
帯電ローラ１７は、感光ドラム１６の前上方に配置されている。帯電ローラ１７は、感光ドラム１６の前上端部に接触している。帯電ローラ１７は、感光ドラム１６の表面を帯電するように構成されている。
【００３６】
ドラムクリーナ３４は、感光ドラム１６の前方に配置されている。ドラムクリーナ３４は、感光ドラム１６の表面をクリーニングするように構成されている。
【００３７】
現像ユニット１５は、感光ドラム１６の後上方に配置されている。現像ユニット１５は、現像ローラ１８と、供給ローラ１９と、層厚規制ブレード２０と、トナー収容部２１とを備えている。
【００３８】
現像ローラ１８は、現像ユニット１５の前下端部に配置されている。現像ローラ１８は、感光ドラム１６の後端部と接触している。現像ローラ１８は、感光ドラム１６表面の静電潜像にトナーを供給し、静電潜像をトナー像として現像するように構成されている。
【００３９】
供給ローラ１９は、現像ローラ１８の後方に配置されている。供給ローラ１９は、現像ローラ１８の後端部と接触している。供給ローラ１９は、トナー収容部２１内のトナーを現像ローラ１８に供給するように構成されている。
【００４０】
層厚規制ブレード２０は、現像ローラ１８の後上方に配置されている。層厚規制ブレード２０は、現像ローラ１８の後上端部と接触している。層厚規制ブレード２０は、現像ローラ１８に担持されたトナーの層厚を一定厚さに規制するように構成されている。
【００４１】
トナー収容部２１は、供給ローラ１９および層厚規制ブレード２０の上方に配置されている。トナー収容部２１は、トナーを収容するように構成されている。
【００４２】
スキャナユニット４は、装置本体２の上端部において、４つのプロセスカートリッジ１３の上方に配置されている。スキャナユニット４は、帯電ローラ１７によって帯電された感光ドラム１６の表面を露光して、感光ドラム１６の表面に画像データに基づく静電潜像を形成するように構成されている。
【００４３】
転写ユニット５は、ベルトユニット２２と、二次転写ローラ２３と、ベルトクリーナ２４と、廃トナー収容部３３とを備えている。
【００４４】
ベルトユニット２２は、４つのプロセスカートリッジ１３の下方に配置されている。ベルトユニット２２は、中間転写ベルト２９と、複数（４つ）の一次転写ローラ２８とを備えている。
【００４５】
中間転写ベルト２９は、無端状のベルトである。中間転写ベルト２９は、すべての感光ドラム１６と接触しながら左側面視時計回りに周回移動する。
【００４６】
一次転写ローラ２８は、感光ドラム１６との間に中間転写ベルト２９を挟むように、感光ドラム１６の下方に配置されている。一次転写ローラ２８は、感光ドラム１６の表面のトナー像を、中間転写ベルト２９に転写するように構成されている。
【００４７】
二次転写ローラ２３は、ベルトユニット２２の後方に配置され、中間転写ベルト２９に接触している。二次転写ローラ２３は、中間転写ベルト２９表面のトナー像を、用紙Ｐに転写するように構成される。
【００４８】
ベルトクリーナ２４は、ベルトユニット２２の後端部の上方に配置されている。ベルトクリーナ２４は、中間転写ベルト２９の表面をクリーニングするように構成されている。
【００４９】
廃トナー収容部３３は、装置本体２の下端部に配置されている。廃トナー収容部３３は、略ボックス形状を有している。廃トナー収容部３３は、所定の配管によってベルトクリーナ２４に接続されている。廃トナー収容部３３は、ベルトクリーナ２４によってクリーニングされた転写残トナーや紙粉を収容するように構成されている。
【００５０】
定着ユニット６は、二次転写ローラ２３の上方に配置されている。定着ユニット６は、加熱ローラ６Ａと、加熱ローラ６Ａの後端部に圧接される加圧ローラ６Ｂとを備えている。加熱ローラ６Ａおよび加圧ローラ６Ｂは、トナー像を用紙Ｐに熱定着するように構成される。
２．プロセスユニットの詳細
（１）支持フレーム
支持フレーム１２は、図３および図７に示すように、平面視略矩形の枠形状を有している。支持フレーム１２は、本体開口７を介して、装置本体２内に位置する内方位置（図１参照）と、装置本体外に位置する外方位置（図１２参照）との間を前後方向（スライド方向）に移動するように構成されている。支持フレーム１２は、第１サイドフレーム４１Ｌと、第２サイドフレーム４１Ｒと、複数（５つ）のビーム部材４２と、フロントビーム４３と、ロック部材５７と、取っ手部材５８とを備えている。
（ａ）サイドフレーム
第１サイドフレーム４１Ｌは、支持フレーム１２の左端部に配置されている。第１サイドフレーム４１Ｌは、前後方向に延びる棒形状、より具体的には四角柱形状を有している。第１サイドフレーム４１Ｌは、硬質の樹脂材料からなる。第１サイドフレーム４１Ｌの上下方向寸法Ｌ１および左右方向寸法Ｌ２は、前後方向寸法Ｌ３よりも短い。また、第１サイドフレーム４１Ｌの上下方向寸法Ｌ１は、左右方向寸法Ｌ２よりも短い。第１サイドフレーム４１Ｌは、支持フレーム１２がスライド方向に移動するときに後述する第１ガイド部６５Ｌにガイドされる第１被ガイド部４１Ａと、プロセスカートリッジ１３を支持するための第１カートリッジ支持部４１Ｂと、ころ４４と、複数（５つ）の嵌合穴４５とを有している。
【００５１】
第１被ガイド部４１Ａは、第１サイドフレーム４１Ｌの左半分を構成し、後述する第１ガイド部６５Ｌの第１ガイド溝６５Ａ内に嵌まっている部分である。
【００５２】
第１カートリッジ支持部４１Ｂは、第１サイドフレーム４１Ｌの右半分を構成し、後述する第１ガイド部６５Ｌの第１ガイド溝６５Ａよりも右方に配置されている部分である。
【００５３】
第１サイドフレーム４１Ｌのころ４４は、第１サイドフレーム４１Ｌの後端部の左面に回転可能に支持されている。ころ４４は、左右方向に厚みを有する略円板形状を有している。ころ４４は、後述する第１ガイド部６５Ｌの第２ガイド溝６５Ｂ内に嵌まっている。
【００５４】
第１サイドフレーム４１Ｌの５つの嵌合穴４５は、第１サイドフレーム４１Ｌの前端部から後端部にわたって、前後方向に互いに間隔を隔てて配置されている。嵌合穴４５は、第１サイドフレーム４１Ｌの右面から左方へ向かって凹んでいる。嵌合穴４５は、側面視略矩形状を有している。
【００５５】
第２サイドフレーム４１Ｒは、支持フレーム１２の右端部に配置されている。第２サイドフレーム４１Ｒは、第１サイドフレーム４１Ｌと同じ上下方向位置に位置している。第２サイドフレーム４１Ｒは、第１サイドフレーム４１Ｌと同様に構成されている。詳しくは、第２サイドフレーム４１Ｒは、前後方向に延びる棒形状、より具体的には四角柱形状を有している。第２サイドフレーム４１Ｒは、硬質の樹脂材料からなる。第２サイドフレーム４１Ｒの上下方向寸法Ｌ１および左右方向寸法Ｌ２は、前後方向寸法Ｌ３よりも短い。また、第２サイドフレーム４１Ｒの上下方向寸法Ｌ１は、左右方向寸法Ｌ２よりも短い。第２サイドフレーム４１Ｒは、支持フレーム１２がスライド方向に移動するときに後述する第２ガイド部６５Ｒにガイドされる第２被ガイド部４１Ｃと、プロセスカートリッジ１３を支持するための第２カートリッジ支持部４１Ｄと、ころ４４と、複数（５つ）の嵌合穴４５とを有している。
【００５６】
第２被ガイド部４１Ｃは、第２サイドフレーム４１Ｒの右半分を構成し、後述する第２ガイド部６５Ｒの第１ガイド溝６５Ａ内に嵌まっている部分である。
【００５７】
第２カートリッジ支持部４１Ｄは、第２サイドフレーム４１Ｒの左半分を構成し、後述する第２ガイド部６５Ｒの第１ガイド溝６５Ａよりも左方に配置されている部分である。
【００５８】
第２サイドフレーム４１Ｒのころ４４は、第２サイドフレーム４１Ｒの後端部の右面に回転可能に支持されている。ころ４４は、左右方向に厚みを有する略円板形状を有している。ころ４４は、後述する第２ガイド部６５Ｒの第２ガイド溝６５Ｂ内に嵌まっている。
【００５９】
第２サイドフレーム４１Ｒの５つの嵌合穴４５は、第２サイドフレーム４１Ｒのの前端部から後端部にわたって、前後方向に互いに間隔を隔てて配置されている。嵌合穴４５は、第２サイドフレーム４１Ｒの左面から右方へ向かって凹んでいる。嵌合穴４５は、側面視略矩形状を有している。
（ｂ）ビーム部材
５つのビーム部材４２は、第１サイドフレーム４１Ｌと第２サイドフレーム４１Ｒとの間において、前後方向に互いに等しい間隔を隔てて配置されている。ビーム部材４２は、左右方向に延びる略棒形状、より具体的には略角柱形状を有している。ビーム部材４２は、ステンレスなどの高い剛性を有する金属材料からなる。ビーム部材４２の上下方向寸法Ｌ６は、第１サイドフレーム４１Ｌおよび第２サイドフレーム４１Ｒの上下方向寸法Ｌ１よりも短い。ビーム部材４２の右端部は、第２サイドフレーム４１Ｒの嵌合穴４５に嵌まっている。ビーム部材４２の左端部は、第１サイドフレーム４１Ｌの嵌合穴４５に嵌まっている。これにより、第１サイドフレーム４１Ｌと第２サイドフレーム４１Ｒとの間の空間は、前後方向に４つに分割されている。言い換えると、４つの開口１２Ａが、第１サイドフレーム４１Ｌと第２サイドフレーム４１Ｒとの間に画定されている。
（ｃ）フロントビーム
フロントビーム４３は、最前方のビーム部材４２の前方において、第１サイドフレーム４１Ｌと第２サイドフレーム４１Ｒとの前端部間に配置されている。フロントビーム４３は、左右方向に延びる略角柱形状を有している。フロントビーム４３は、硬質の樹脂材料からなる。フロントビーム４３の左端部は、第１サイドフレーム４１Ｌの前端部に連続している。フロントビーム４３の右端部は、第２サイドフレーム４１Ｒの前端部に連続している。フロントビーム４３は、図７および図８Ａに示すように、取っ手部材５８を収容するための収容部４３Ａと、ロック部材５７を収容するための収容部４３Ｂとを有している。
【００６０】
収容部４３Ａは、フロントビーム４３の左右方向略中央に配置されている。収容部４３Ａは、前後方向に延び、後端部が閉鎖された略円筒形状を有している。収容部４３Ａの径方向寸法Ｌ７は、第１サイドフレーム４１Ｌおよび第２サイドフレーム４１Ｒの上下方向寸法Ｌ１よりも長い。
【００６１】
収容部４３Ｂは、フロントビーム４３の左半分に配置されている。収容部４３Ｂは、左右方向に延びる貫通穴である。収容部４３Ｂの右端部は、収容部４３Ａの内部に連通されている。収容部４３Ｂの左端部は、第１サイドフレーム４１Ｌを貫通して、支持フレーム１２の左方の外部に臨んでいる。
（ｄ）ロック部材
ロック部材５７は、収容部４３Ｂ内に配置されている。ロック部材５７は、左右方向に延びる略円柱形状を有している。ロック部材５７は、左端部が外部へ突出する突出位置（図８Ｂ参照）と、左端部が収容部４３Ｂ内に収容される収容位置（図８Ｃ参照）との間を、左右方向に移動可能である。ロック部材５７は、圧縮ばね５９により、常には、収容位置へ向かうように右方へ付勢されている。なお、ロック部材５７の右端部は、ロック部材５７が突出位置に位置している状態において、収容部４３Ａの内部から左方へ退避している。また、ロック部材５７の右端部は、ロック部材５７が収容位置に位置している状態において、収容部４３Ａの内部に進出している。
（ｅ）取っ手部材
取っ手部材５８は、収容部４３Ａ内に配置されている。取っ手部材５８は、前後方向に厚みを有する略円板形状を有している。取っ手部材５８は、ロック部材５７を突出位置に位置させるロック位置（図８Ｂ参照）と、ロック部材５７を収容位置に位置させるロック解除位置（図８Ｃ参照）との間を回転可能である。取っ手部材５８は、溝５８Ａを有している。
【００６２】
溝５８Ａは、取っ手部材５８がロック解除位置（図８Ｃ参照）に位置している状態において、左上端部に配置される。溝５８Ａは、取っ手部材５８の外周面から径方向内方へ凹み、取っ手部材５８の周方向約９０°にわたって延びている。溝５８Ａの径方向寸法は、正面視時計回り方向へ向かうにつれて徐々に短くなる。溝５８Ａの正面視時計回り方向上流端部の径方向寸法は、ロック部材５７が収容位置に位置しているときに収容部４３Ａ内に進出しているロック部材５７の右端部の左右方向寸法とほぼ同じである。
（２）プロセスカートリッジ
４つのプロセスカートリッジ１３は、収容するトナーの色が異なる以外、互いに同様の構造である。プロセスカートリッジ１３は、図２および図５に示すように、左右方向に延びる略角柱形状を有している。プロセスカートリッジ１３は、感光ドラム１６が支持フレーム１２よりも下方に配置されるように、支持フレーム１２の開口１２Ａに上下方向に挿通されている。
【００６３】
すなわち、プロセスカートリッジ１３は、左右方向において第１サイドフレーム４１Ｌと第２サイドフレーム４１Ｒとの間に配置されるとともに、前後方向において、２つのビーム部材４２の間に配置されている。また、左右方向から見て、プロセスカートリッジ１３のうち、支持フレーム１２よりも下方に配置されている下方部分１３Ａ、および、支持フレーム１２よりも上方に配置されている上方部分１３Ｂは、支持フレーム１２から露出している。プロセスカートリッジ１３の投影面Ａ１のうち、第１サイドフレーム４１Ｌまたは第２サイドフレーム４１Ｒと重なる部分Ａ２の面積は、投影面Ａ１の総面積の３０％以下である。
【００６４】
プロセスカートリッジ１３の上下方向寸法Ｌ４は、第１サイドフレーム４１Ｌおよび第２サイドフレーム４１Ｒの上下方向寸法Ｌ１よりも長い。言い換えると、第１サイドフレーム４１Ｌおよび第２サイドフレーム４１Ｒの上下方向寸法Ｌ１は、プロセスカートリッジ１３の上下方向寸法Ｌ４よりも短く、具体的には、第１サイドフレーム４１Ｌおよび第２サイドフレーム４１Ｒの上下方向寸法Ｌ１は、プロセスカートリッジ１３の上下方向寸法Ｌ４の、５％以上３０％以下、好ましくは、５％以上１０％以下である。
【００６５】
また、プロセスカートリッジ１３は、感光ドラム１６が中間転写ベルト２９に接触する第１位置（図２参照）と、感光ドラム１６が中間転写ベルト２９から離間する第２位置（図１１参照）との間を移動可能である。
【００６６】
プロセスカートリッジ１３は、上記したように、ドラムユニット１４と、現像ユニット１５とを備えている。
（ａ）ドラムユニット
ドラムユニット１４は、図２および図６に示すように、上端部が開放された略ボックス形状を有している。ドラムユニット１４は、第１側壁４６Ｌと、第２側壁４６Ｒと、前壁４７と、後壁４８とをさらに備えている。
（ａ−１）側壁
第１側壁４６Ｌは、図２および図４Ａに示すように、ドラムユニット１４の左端部に配置されている。第１側壁４６Ｌは、側面視略矩形の平板形状を有している。第１側壁４６Ｌは、ドラム支持部４９と、付勢部５０と、現像支持部５１とを有している。
【００６７】
ドラム支持部４９は、第１側壁４６Ｌの下端部において、前後方向中央よりも少し前方に配置されている。ドラム支持部４９は、左右方向に延びる略円筒形状を有し、第１側壁４６Ｌを左右方向に貫通している。
【００６８】
付勢部５０は、第１側壁４６Ｌの上下方向略中央に配置されている。付勢部５０は、収容部材４０と、当接部材５３と、２つの圧縮ばね５４とを有している。
【００６９】
収容部材４０は、第１側壁４６Ｌの左面から左方へ突出し、前後方向に延びる略ボックス形状を有している。収容部材４０は、上下方向に投影したときに、第１サイドフレーム４１Ｌと重なる。収容部材４０は、開口４０Ａを有している。
【００７０】
開口４０Ａは、収容部材４０の下壁を上下方向に貫通している。開口４０Ａは、収容部材４０の下壁の前後方向両端部を少し残すように、収容部材４０の下壁の前後方向ほぼ全てにわたって延びている。
【００７１】
当接部材５３は、収容部材４０の開口４０Ａ内に嵌まっている。当接部材５３は、前後方向に延び、上端部が開放された略ボックス形状を有している。当接部材５３は、第１サイドフレーム４１Ｌの第１カートリッジ支持部４１Ｂの上面に当接している。当接部材５３は、収容部材４０の開口４０Ａ内に収容されて圧縮ばね５４を圧縮する収容位置（図５参照）と、収容部材４０の開口４０Ａから突出して圧縮ばね５４の圧縮を解除する突出位置（図１０参照）との間を移動可能である。当接部材５３は、２つの係合部５３Ａを有している。
【００７２】
２つの係合部５３Ａは、前後方向に間隔を隔てて配置されている。２つの係合部５３Ａのうちの前方の係合部５３Ａは、当接部材５３の前端部から前方へ突出する略平板形状を有している。前方の係合部５３Ａは、開口４０Ａの前方の周縁部において、収容部材４０の下壁に係合する。後方の係合部５３Ａは、当接部材５３の後端部から後方へ突出する略平板形状を有している。後方の係合部５３Ａは、開口４０Ａの後方の周縁部において、収容部材４０の下壁に係合する。
【００７３】
２つの圧縮ばね５４は、付勢部５０の内部において、互いに前後方向に間隔を隔てて、圧縮状態で配置されている。圧縮ばね５４は、上下方向に延びるコイルばねである。圧縮ばね５４の上端部は、収容部材４０の上壁の内面、すなわち下面に接触している。圧縮ばね５４の下端部は、当接部材５３の下壁の内面、すなわち上面に接触している。これにより、２つの圧縮ばね５４は、収容部材４０に対して、当接部材５３を下方へ向かって付勢している。言い換えると、２つの圧縮ばね５４は、当接部材５３に対して、収容部材４０を上方へ向かって付勢している。すなわち、２つの圧縮ばね５４は、収容部材４０を、前後方向両端部にわたって、上方へ向かって付勢している。
【００７４】
現像支持部５１は、第１側壁４６Ｌの上端部の前後方向略中央に配置されている。現像支持部５１は、側面視略円形状を有し、第１側壁４６Ｌを左右方向に貫通している。
【００７５】
第２側壁４６Ｒは、図２および図４Ｂに示すように、ドラムユニット１４の左端部に配置されている。第２側壁４６Ｒは、側面視略矩形の平板形状を有している。第２側壁４６Ｒは、ドラム支持部４９と、付勢部５０と、現像支持部５１と、露出開口５２とを有している。すなわち、第２側壁４６Ｒは、露出開口５２を有すること以外は、第１側壁４６Ｌと同様の構造である。第２側壁４６Ｒの収容部材４０は、第２側壁４６Ｒの右面から右方へ突出し、上下方向に投影したときに、第２サイドフレーム４１Ｒと重なる。第２側壁４６Ｒの当接部材５３は、第２サイドフレーム４１Ｒの第２カートリッジ支持部４１Ｄの上面に当接している。
【００７６】
露出開口５２は、第２側壁４６Ｒの下端部において、ドラム支持部４９の後方に配置されている。露出開口５２は、第２側壁４６Ｒを左右方向に貫通している。露出開口５２は、現像支持部５１を中心とする側面視略円弧形状に湾曲するように、前方から後方へ向かうにつれて上方へ延びている。
（ａ−２）前壁
前壁４７は、図１および図６に示すように、第１側壁４６Ｌの前端部と第２側壁４６Ｒの前端部との間に配置されている。前壁４７は、左右方向に延びる略平板形状を有し、ドラムクリーナ３４の前壁を兼ねる。前壁４７の左端部は、第１側壁４６Ｌの前端部に接続されている。前壁４７の右端部は、第２側壁４６Ｒの前端部に接続されている。前壁４７は、リブ４７Ａを備えている。
【００７７】
リブ４７Ａは、前壁４７の上下方向略中央に配置されている。リブ４７Ａは、前壁４７の前面から前方へ突出し、左右方向に延びる略平板形状を有している。リブ４７Ａは、前方のビーム部材４２の後端部の上面に当接している。
（ａ−３）後壁
後壁４８は、第１側壁４６Ｌの後端部と第２側壁４６Ｒの後端部との間に配置されている。後壁４８は、左右方向に延びる略平板形状を有している。後壁４８の左端部は、第１側壁４６Ｌの後端部に接続されている。後壁４８の右端部は、第２側壁４６Ｒの後端部に接続されている。後壁４８は、リブ４８Ａを備えている。
【００７８】
リブ４８Ａは、後壁４８の上下方向略中央に配置されている。リブ４８Ａは、後壁４８の後面から後方へ突出し、左右方向に延びる略平板形状を有している。リブ４８Ａは、後方のビーム部材４２の前端部の上面に当接している。
（ａ−４）感光ドラム
上記した感光ドラム１６は、図２および図４Ａに示すように、ドラム本体１６Ａと、第１フランジ部材１６Ｂと、第２フランジ部材１６Ｅとを備えている。
【００７９】
ドラム本体１６Ａは、左右方向に延びる略円筒形状を有している。ドラム本体１６Ａは、その表面において感光層を有している。
【００８０】
第１フランジ部材１６Ｂは、ドラム本体１６Ａの左端部に相対回転不能に嵌まるとともに、第１側壁４６Ｌのドラム支持部４９に回転可能に嵌まっている。第１フランジ部材１６Ｂは、左右方向に延びる略円柱形状を有している。第１フランジ部材１６Ｂは、カップリング凹部１６Ｃと、２つの突部１６Ｄとを有し、装置本体２の本体カップリング７０と係合して装置本体２から駆動力を受けるように構成されている。
【００８１】
カップリング凹部１６Ｃは、第１フランジ部材１６Ｂの左面から右方へ凹んでいる。カップリング凹部１６Ｃは、側面視略円形状を有している。感光ドラム１６のカップリング凹部１６Ｃの径方向寸法Ｌ５は、第１サイドフレーム４１の上下方向寸法Ｌ１よりも長い。
【００８２】
２つの突部１６Ｄは、カップリング凹部１６Ｃ内において、カップリング凹部１６Ｃの径方向両方のそれぞれに互いに間隔を隔てて配置されている。突部１６Ｄは、カップリング凹部１６Ｃの内周面から径方向内方へ突出し、側面視略矩形状を有している。
【００８３】
第２フランジ部材１６Ｅは、ドラム本体１６Ａの右端部に相対回転不能に嵌まるとともに、第２側壁４６Ｒのドラム支持部４９に回転可能に嵌まっている。第２フランジ部材１６Ｅは、左右方向に延びる略円柱形状を有している。すなわち、第２フランジ部材１６Ｅは、カップリング凹部１６Ｃ、および、２つの突部１６Ｄを有さない以外は、第１フランジ部材１６Ｂと同様に構成されている。
（ｂ）現像ユニット
現像ユニット１５は、図２および図６に示すように、現像フレーム５５と、装置本体２からの電力を受けるように構成される現像電極５６とを備えている。
【００８４】
現像フレーム５５は、左右方向に延びる略ボックス形状を有している。現像フレーム５５は、その内部にトナー収容部２１を有し、現像ローラ１８、供給ローラ１９および層厚規制ブレード２０を支持している。また、現像フレーム５５は、第１揺動軸５５Ａと、第２揺動軸５５Ｂとを有している。
【００８５】
第１揺動軸５５Ａは、現像フレーム５５の左端部の上端部に配置されている。第１揺動軸５５Ａは、現像フレーム５５の左面から左方へ延びる略円筒形状を有している。第２揺動軸５５Ｂは、現像フレーム５５の右端部の上端部に配置されている。第２揺動軸５５Ｂは、現像フレーム５５の右面から右方へ延びる略円筒形状を有している。第１揺動軸５５Ａおよび第２揺動軸５５Ｂは、互いに中心軸線を共有している。第１揺動軸５５Ａは、第１側壁４６Ｌの現像支持部５１に回転可能に嵌まっている。第２揺動軸５５Ｂは、第２側壁４６Ｒの現像支持部５１に回転可能に嵌まっている。なお、現像ユニット１５は、現像ローラ１８が感光ドラム１６に接触する位置（図１参照）と、現像ローラ１８が感光ドラム１６から離間する位置（図示せず）との間を、第１揺動軸５５Ａおよび第２揺動軸５５Ｂを支点として揺動可能である。
【００８６】
現像電極５６は、図４Ｂおよび図６に示すように、現像フレーム５５の右端部において、右方から見たときに第２側壁４６Ｒの露出開口５２から露出されるように支持されている。現像電極５６は、前後方向に延びる側面視略長穴形状を有している。現像電極５６は、現像ローラ１８および供給ローラ１９に対して電気的に接続されている。
３．装置本体の詳細
装置本体２は、図１および図２に示すように、外フレーム６１と、内フレーム６２と、駆動部６３と、給電部６４と、第１ガイド部６５Ｌと、第２ガイド部６５Ｒと、第１押圧部６０Ｌと、第２押圧部６０Ｒとをさらに備えている。
（１）外フレームおよび内フレーム
外フレーム６１は、装置本体２の外装を構成する。外フレーム６１は、略ボックス形状を有している。外フレーム６１は、硬質の樹脂からなる。外フレーム６１は、上記した排紙トレイ１１を備えている。
【００８７】
内フレーム６２は、外フレーム６１の内方に配置されている。内フレーム６２は、前後方向に延び、前後両端部が開放された略角筒形状を有している。内フレーム６２は、後述する本体カップリング７０を支持する第１側板６６Ｌと、後述する本体電極７７を支持する第２側板６６Ｒと、上板６７と、下板６８と、第１位置決め板６９Ｌと、第２位置決め板６９Ｒとを備えている。
【００８８】
第１側板６６Ｌは、図２および図６に示すように、外フレーム６１の左壁の右方に間隔を隔てて配置されている。第１側板６６Ｌは、上下方向に延びる略平板形状を有している。第１側板６６Ｌは、ステンレスや、メッキされた鉄などの剛性の高い金属からなる。第１側板６６Ｌは、複数（４つ）の穴６６Ａを有している。
【００８９】
穴６６Ａは、第１側板６６Ｌの上下方向略中央において、感光ドラム１６の左方に向かい合うように配置されている。すなわち、４つの穴６６Ａは、前後方向に互いに間隔を隔てて配置されている。穴６６Ａは、第１側板６６Ｌを左右方向に貫通している。
【００９０】
第２側板６６Ｒは、外フレーム６１の右壁の左方に間隔を隔てて配置されている。第２側板６６Ｒは、上下方向に延びる略平板形状を有している。第２側板６６Ｒは、ステンレスや、メッキされた鉄などの剛性の高い金属からなる。
【００９１】
上板６７は、図２に示すように、内フレーム６２の上端部に配置されている。上板６７は、左右方向に延びる略平板形状を有している。上板６７は、ステンレスや、メッキされた鉄などの金属からなる。上板６７は、第１側板６６Ｌの上端部と第２側板６６Ｒの上端部との間に架設されている。上板６７は、スキャナユニット４を支持している。
【００９２】
下板６８は、内フレーム６２の下端部に配置されている。下板６８は、左右方向に延びる略平板形状を有している。下板６８は、ステンレスや、メッキされた鉄などの金属からなる。下板６８は、給紙トレイ９よりも上方において、第１側板６６Ｌの下端部と第２側板６６Ｒの下端部との間に架設されている。
【００９３】
第１位置決め板６９Ｌおよび第２位置決め板６９Ｒは、図２および図５に示すように、内フレーム６２の下端部において、第１側板６６Ｌと第２側板６６Ｒとの間において左右方向に間隔を隔てて配置されている。第１位置決め板６９Ｌおよび第２位置決め板６９Ｒは、上下方向に延びる略平板形状を有している。第１位置決め板６９Ｌおよび第２位置決め板６９Ｒは、ステンレスや、メッキされた鉄などの金属からなり、互いに同一の形状を有している。第１位置決め板６９Ｌの下端部、および、第２位置決め板６９Ｒの下端部は、下板６８の上面に接合されている。第１位置決め板６９Ｌは、複数（４つ）の位置決め凹部６９Ａを有している。第２位置決め板６９Ｒは、複数（４つ）の位置決め凹部６９Ａを有している。
【００９４】
第１位置決め板６９Ｌの４つの位置決め凹部６９Ａは、第１位置決め板６９Ｌの上端部において、互いに前後方向に等しい間隔を隔てて配置されている。第１位置決め板６９Ｌの位置決め凹部６９Ａは、第１位置決め板６９Ｌの上端縁から下方へ向かって凹んでいる。第２位置決め板６９Ｒの４つの位置決め凹部６９Ａは、第２位置決め板６９Ｒの上端部において、互いに前後方向に等しい間隔を隔てて配置されている。第２位置決め板６９Ｒの位置決め凹部６９Ａは、第２位置決め板６９Ｒの上端縁から下方へ向かって凹んでいる。位置決め凹部６９Ａは、上端部が開放された側面視略Ｕ字形状を有している。位置決め凹部６９Ａは、プロセスカートリッジ１３のドラム支持部４９を受け入れて、感光ドラム１６を前後方向において位置決めする。
（２）駆動部
駆動部６３は、図２および図６に示すように、第１側板６６Ｌの上下方向略中央に支持されている。駆動部６３は、フレーム８５と、複数（４つ）のドラム駆動ギア７１と、直動カム７２と、複数（４つ）の本体カップリング７０と、複数（４つ）の圧縮ばね８８とを備えている。
（ａ）フレーム
フレーム８５は、第１側板６６Ｌの右方に配置されている。フレーム８５は、前後方向に延びる略ボックス形状を有している。フレーム８５は、本体カップリング７０が挿通されている複数（４つ）の穴８５Ａと、直動カム７２が挿通されている穴８５Ｂとを有している。
【００９５】
穴８５Ａは、フレーム８５の右壁の上端部に配置されている。４つの穴８５Ａは、４つの感光ドラム１６の左方において、互いに前後方向に間隔を隔てて配置されている。穴８５Ａは、フレーム８５の右壁を左右方向に貫通している。
【００９６】
穴８５Ｂは、フレーム８５の前壁の右端部に配置されている。穴８５Ｂは、フレーム８５の前壁を前後方向に貫通している。
（ｂ）ドラム駆動ギア
ドラム駆動ギア７１は、第１側板６６Ｌの左方において、穴８５Ａの左方に配置されている。ドラム駆動ギア７１は、略円板形状を有し、その周面すべてにわたってギア歯を有している。ドラム駆動ギア７１は、第１側板６６Ｌに回転可能に支持されている。ドラム駆動ギア７１は、穴７１Ａと、２つの凹部７１Ｂとを有している。
【００９７】
穴７１Ａは、ドラム駆動ギア７１の径方向中央に配置されている。穴７１Ａは、ドラム駆動ギア７１を左右方向に貫通している。穴７１Ａは、第１側板６６Ｌの穴６６Ａと略同径の側面視略円形状を有している。穴７１Ａは、左右方向から見て、第１側板６６Ｌの穴６６Ａと一致している。
【００９８】
凹部７１Ｂは、穴７１Ａの径方向の内面に配置されている。凹部７１Ｂは、穴７１Ａの径方向の内面から径方向外方へ凹み、左右方向に延びる溝である。
（ｃ）直動カム
直動カム７２は、フレーム８５の右端部内に配置されている。直動カム７２は、上下方向に投影したときに、第１サイドフレーム４１Ｌに重なる。直動カム７２は、前後方向に延びる略平板形状を有している。直動カム７２の前端部は、フレーム８５の穴８５Ｂに挿通され、フレーム８５の前壁よりも前方に突出している。直動カム７２は、複数の本体カップリング７０を左方へ押圧する押圧位置（図９参照）と、複数の本体カップリング７０に対する押圧を解除する押圧解除位置（図６参照）との間を前後方向に移動可能である。直動カム７２は、圧縮ばね８７により、常には、押圧位置へ向かうように前方へ付勢されている。直動カム７２は、フロントカバー８が閉位置に位置している状態で、前端部がフロントカバー８の後面に当接することにより、圧縮ばね８７の付勢力に抗して後方へ押圧されて、押圧解除位置に位置する。直動カム７２は、複数（４つ）の穴７３と、複数（４つ）の変位部７４とを有している。
【００９９】
４つの穴７３は、前後方向に互いに間隔を隔てて並列配置されている。穴７３は、直動カム７２を左右方向に貫通している。穴７３は、前後方向に延びている。
【０１００】
変位部７４は、穴７３の後方半分の周縁部から左右方向外方、すなわち左方に突出し、穴７３の周方向に沿って延びる略平板形状を有している。変位部７４は、傾斜面７４Ａと、平行面７４Ｂとを有している。
【０１０１】
傾斜面７４Ａは、変位部７４の前半分の左面である。傾斜面７４Ａは、前方から後方へ向かうにつれて左方に傾斜している。傾斜面７４Ａの前端部は、直動カム７２の左面に連続している。
【０１０２】
平行面７４Ｂは、変位部７４の後半分の左面である。平行面７４Ｂは、傾斜面７４Ａの後端部に連続して後方へ延びている。平行面７４Ｂは、直動カム７２の左面と平行している。
（ｄ）本体カップリング
本体カップリング７０は、ドラム駆動ギア７１の穴７１Ａ内に、左右方向に移動可能に支持されている。本体カップリング７０は、プロセスカートリッジ１３の下方部分１３Ａに対して左方に配置されている。本体カップリング７０は、左右方向に延びる略円柱形状を有している。本体カップリング７０は、感光ドラム１６のカップリング凹部１６Ｃに係合する係合位置（図２および図６参照）と、感光ドラム１６のカップリング凹部１６Ｃとの係合が解除される非係合位置（図９および図１１参照）との間を移動可能である。なお、係合位置は、本体カップリング７０が感光ドラム１６のカップリング凹部１６Ｃに向かって進出した位置であり、非係合位置は、本体カップリング７０が感光ドラム１６のカップリング凹部１６Ｃから退避した位置である。本体カップリング７０は、軸部７０Ａと、２つの凸部７０Ｂと、鍔部７０Ｃとを備えている。
【０１０３】
軸部７０Ａは、左右方向に延びる略円柱形状を有している。軸部７０Ａは、ドラム駆動ギア７１の穴７１Ａ、第１側板６６Ｌの穴６６Ａ、直動カム７２の穴７３、および、フレーム８５の穴８５Ａに挿通されている。軸部７０Ａの右端部である第２端部Ｅ２は、フレーム８５の穴８５Ａを介して、フレーム８５の右壁よりも右方へ突出している。軸部７０Ａは、２つの突起７０Ｄを備えている。
【０１０４】
突起７０Ｄは、軸部７０Ａの左端部である第１端部Ｅ１の外周面から軸部７０Ａの径方向外方へ向かって突出する略円柱形状を有している。突起７０Ｄは、ドラム駆動ギア７１の凹部７１Ｂ内に、左右方向に移動可能かつ周方向に移動不能に嵌まっている。これにより、本体カップリング７０は、ドラム駆動ギア７１とともに回転可能である。
【０１０５】
凸部７０Ｂは、軸部７０Ａの第２端部Ｅ２の径方向外端部から右方へ延びる略円柱形状を有している。
【０１０６】
鍔部７０Ｃは、軸部７０Ａの左右方向略中央の外周面から径方向外方へ突出し、軸部７０Ａの周方向に延びる略板形状を有している。
【０１０７】
本体カップリング７０の第２端部Ｅ２は、本体カップリング７０が非係合位置に位置している状態で、上下方向から見て、第１ガイド部６５Ｌと第２ガイド部６５Ｒとの間に配置され、かつ、第１サイドフレーム４１Ｌに重なるように配置されている。
（ｅ）圧縮ばね
圧縮ばね８８は、本体カップリング７０の鍔部７０Ｃと第１側板６６Ｌとの間に圧縮状態で配置されている。これにより、本体カップリング７０は、常には、係合位置へ向かうように右方へ付勢されている。
（３）給電部
給電部６４は、第２側板６６Ｒの上下方向略中央に支持されている。給電部６４は、フレーム８６と、電源基板７５と、複数（４つ）の支持軸９３と、直動カム７６と、複数（４つ）の本体電極７７と、複数（４つ）の圧縮ばね９０とを備えている。
【０１０８】
フレーム８６は、第２側板６６Ｒの左右方向内方、すなわち、左方に配置されている。フレーム８６は、前後方向に延びる略ボックス形状を有している。フレーム８６は、複数の本体電極７７が挿通されている複数（４つ）の穴８６Ａと、直動カム７６が挿通されている穴８６Ｂとを有している。
【０１０９】
穴８６Ａは、フレーム８６の左壁の上端部に配置されている。穴８６Ａは、現像電極５６の右方に向かい合うように配置されている。複数の穴８６Ａは、互いに前後方向に間隔を隔てて配置されている。穴８６Ａは、フレーム８６の左壁を左右方向に貫通している。
【０１１０】
穴８６Ｂは、フレーム８６の前壁の左端部に配置されている。穴８６Ｂは、フレーム８６の前壁を前後方向に貫通している。
（ｂ）電源基板
電源基板７５は、フレーム８６の右端部内において、第２側板６６Ｒと本体電極７７との間に配置されている。電源基板７５は、上下方向および前後方向に延びる略平板形状を有している。電源基板７５は、変圧器、蓄電器などを備えた回路基板であり、図示しない入力電源から供給された電力を、変圧器によって所定の電圧に変換して、蓄電器に蓄電するように構成されている。これにより、電源基板７５は、本体電極７７に印加される電力を制御する。
（ｃ）支持軸
支持軸９３は、穴８６Ａの右方に配置されている。支持軸９３は、第２側板６６Ｒの内面、すなわち左面から左方に向かって延びる略円柱形状を有している。
（ｄ）直動カム
直動カム７６は、フレーム８６の左端部内に配置されている。直動カム７６は、上下方向に投影したときに、第２サイドフレーム４１Ｒに重なる。直動カム７６は、前後方向に延びる略平板形状を有している。直動カム７６の前端部は、フレーム８６の穴８６Ｂに挿通され、フレーム８６の前壁よりも前方に突出している。直動カム７６は、本体電極７７を右方へ押圧する押圧位置（図９参照）と、本体電極７７に対する押圧を解除する押圧解除位置（図６参照）との間を前後方向に移動可能である。直動カム７６は、圧縮ばね８９により、常には、押圧位置へ向かうように前方へ付勢されている。直動カム７６は、フロントカバー８が閉位置に位置している状態で、前端部がフロントカバー８の後面に当接することにより、圧縮ばね８９の付勢力に抗して後方へ押圧されて、押圧解除位置に位置する。直動カム７６は、複数（４つ）の穴９１と、複数（４つ）の変位部９２とを有している。
【０１１１】
４つの穴９１は、前後方向に互いに間隔を隔てて配置されている。穴９１は、直動カム７６を左右方向に貫通している。穴９１は、前後方向に延びている。
【０１１２】
変位部９２は、穴９１の後方半分の周縁部から左右方向外方、すなわち右方に突出し、穴９１の周方向に沿って延びる略平板形状を有している。変位部９２は、傾斜面９２Ａと、平行面９２Ｂとを有している。
【０１１３】
傾斜面９２Ａは、変位部９２の前半分の右面である。傾斜面９２Ａは、前方から後方へ向かうにつれて右方に傾斜している。傾斜面９２Ａの前端部は、直動カム７６の右面に連続している。
【０１１４】
平行面９２Ｂは、変位部９２の後半分の右面である。平行面９２Ｂは、傾斜面９２Ａの後端部に連続して後方へ延びている。平行面９２Ｂは、直動カム７６の右面と平行している。
（ｅ）本体電極
本体電極７７は、電源基板７５の左方において、支持軸９３に、左右方向に移動可能に支持されている。本体電極７７は、プロセスカートリッジ１３の下方部分１３Ａに対して右方に配置されている。本体電極７７は、現像電極５６に接触する接触位置（図２および図６参照）と、現像電極５６との接触が解除される非接触位置（図９および図１１参照）との間を移動可能である。なお、接触位置は、本体電極７７が現像電極５６に向かって進出した位置であり、非接触位置は、本体電極７７が現像電極５６から退避した位置である。本体電極７７は、軸部７７Ａと、鍔部７７Ｂとを備えている。
【０１１５】
軸部７７Ａは、左右方向に延び、左端部が閉鎖された略円柱形状を有している。軸部７７Ａの左壁は、径方向中央が左方へ膨出するように湾曲されている。軸部７７Ａは、直動カム７６の穴９１、および、フレーム８６の穴８６Ａに挿通されている。軸部７７Ａの左端部である第２端部Ｅ３は、フレーム８６の穴８６Ａを介して、フレーム８６の左壁よりも左方へ突出している。
【０１１６】
鍔部７７Ｂは、軸部７７Ａの右端部である第１端部Ｅ４の外周面から径方向外方へ突出し、軸部７７Ａの周方向に延びる略板形状を有している。
【０１１７】
なお、本体電極７７は、現像電極５６を介して、現像ローラ１８に現像バイアスを印加するように構成されている。
【０１１８】
本体電極７７の第２端部Ｅ３は、本体電極７７が非接触位置に位置している状態で上下方向から見て、第１ガイド部６５Ｌと第２ガイド部６５Ｒとの間に配置され、かつ、第２サイドフレーム４１Ｒに重なるように配置されている。
（ｆ）圧縮ばね
圧縮ばね９０は、本体電極７７の鍔部７７Ｂと電源基板７５との間に圧縮状態で配置されている。本体電極７７は、圧縮ばね９０により、常には、接触位置へ向かうように左方へ付勢されている。
（４）第１ガイド部および第２ガイド部
第１ガイド部６５Ｌは、図２および図７に示すように、第１側板６６Ｌの右方において、駆動部６３の上方に配置されている。第１ガイド部６５Ｌは、前後方向に延びる略角柱形状を有している。第１ガイド部６５Ｌは、第１ガイド溝６５Ａと、第２ガイド溝６５Ｂと、係合部６５Ｃと、複数（２つ）のころ６５Ｄとを備えている。
【０１１９】
第１ガイド部６５Ｌの第１ガイド溝６５Ａは、第１ガイド部６５Ｌの右面から左方に向かって凹み、前後方向に延びている。第１ガイド溝６５Ａは、断面視略矩形状を有している。第１ガイド溝６５Ａの前端部は、前方へ開放されている。
【０１２０】
第１ガイド部６５Ｌの第２ガイド溝６５Ｂは、第１ガイド溝６５Ａの左方の内面から左方に向かって凹み、前後方向に延びている。第２ガイド溝６５Ｂは、断面視略矩形状を有している。第２ガイド溝６５Ｂの前端部は、閉鎖されている。
【０１２１】
係合部６５Ｃは、第１ガイド部６５Ｌの前端部において、第２ガイド溝６５Ｂの前方に配置されている。係合部６５Ｃは、第１ガイド溝６５Ａの左方の内面から左方に向かって凹んでいる。
【０１２２】
第１ガイド部６５Ｌの２つのころ６５Ｄは、図７および図１０に示すように、第１ガイド部６５Ｌの第１ガイド溝６５Ａの前端部において、互いに前後方向に間隔を隔てて配置されている。ころ６５Ｄは、左右方向に延びる軸線について回転可能な略円板形状を有している。ころ６５Ｄの上端部は、第１ガイド溝６５Ａの下方の内面よりも上方に突出している。
【０１２３】
第２ガイド部６５Ｒは、図２および図７に示すように、第２側板６６Ｒの左方において、給電部６４の上方に配置されている。すなわち、第１ガイド部６５Ｌおよび第２ガイド部６５Ｒは、第１側板６６Ｌと第２側板６６Ｒとの間に配置されている。第２ガイド部６５Ｒは、前後方向に延びる略角柱形状を有している。第２ガイド部６５Ｒは、第１ガイド溝６５Ａと、第２ガイド溝６５Ｂと、複数（２つ）のころ６５Ｄとを備えている。
【０１２４】
第２ガイド部６５Ｒの第１ガイド溝６５Ａは、第２ガイド部６５Ｒの左面から右方に向かって凹み、前後方向に延びている。第１ガイド溝６５Ａは、断面視略矩形状を有している。第１ガイド溝６５Ａの前端部は、前方へ開放されている。
【０１２５】
第２ガイド部６５Ｒの第２ガイド溝６５Ｂは、第１ガイド溝６５Ａの右方の内面から右方に向かって凹み、前後方向に延びている。第２ガイド溝６５Ｂは、断面視略矩形状を有している。第２ガイド溝６５Ｂの前端部は、閉鎖されている。
【０１２６】
第２ガイド部６５Ｒの２つのころ６５Ｄは、図７および図１０に示すように、第２ガイド部６５Ｒの第１ガイド溝６５Ａの前端部において、互いに前後方向に間隔を隔てて配置されている。ころ６５Ｄは、左右方向に延びる軸線について回転可能な略円板形状を有している。ころ６５Ｄの上端部は、第１ガイド溝６５Ａの下方の内面よりも上方に突出している。
（５）押圧部
第１押圧部６０Ｌは、図２および図５に示すように、第１ガイド部６５Ｌよりも上方に配置されている。第１押圧部６０Ｌは、上板６７の左端部に支持されている。第１押圧部６０Ｌは、押圧バー７９と、複数（４つ）のリンク部材８０と、回動部材８１と、引張ばね８２（図１参照）とを有している。
【０１２７】
押圧バー７９は、前後方向に延びる略角柱形状を有している。押圧バー７９は、複数（４つ）の収容部７９Ａと、複数（４つ）の押圧部材８３と、複数（８つ）の圧縮ばね８４とを有している。
【０１２８】
収容部７９Ａは、プロセスカートリッジ１３の付勢部５０の上方に配置されている。４つの収容部７９Ａは、前後方向に互いに間隔を隔てて配置されている。収容部７９Ａは、押圧バー７９の下面から上方へ凹み、前後方向に延びる凹部である。収容部７９Ａは、下端部が開放された側断面視略矩形状を有している。
【０１２９】
押圧部材８３は、収容部７９Ａに嵌まっている。押圧部材８３は、前後方向に延び、上端部が開放された略ボックス形状を有している。
【０１３０】
８つの圧縮ばね８４は、４つの前圧縮ばね８４Ｆと、４つの後圧縮ばね８４Ｒとを含む。前圧縮ばね８４Ｆは、収容部７９Ａの前端部に圧縮状態で配置されている。後圧縮ばね８４Ｒは、収容部７９Ａの後端部に圧縮状態で配置されている。圧縮ばね８４は、上下方向に延びるコイルばねである。圧縮ばね８４の上端部は、収容部７９Ａの上壁の内面、すなわち下面に接触している。圧縮ばね８４の下端部は、押圧部材８３の下壁の内面、すなわち上面に接触している。これにより、前圧縮ばね８４Ｆおよび後圧縮ばね８４Ｒは、押圧部材８３を下方へ向かって付勢している。なお、前圧縮ばね８４Ｆおよび後圧縮ばね８４Ｒの付勢力は、プロセスカートリッジ１３の付勢部５０の圧縮ばね５４の付勢力よりも強い。
【０１３１】
４つのリンク部材８０は、押圧バー７９の上方において、前後方向に互いに間隔を隔てて配置されている。リンク部材８０の下端部は、押圧バー７９の上端部に回転可能に連結されている。リンク部材８０の上端部は、上板６７に回転可能に連結されている。
【０１３２】
回動部材８１は、図１に示すように、装置本体２の前上端部の左端部に配置されている。回動部材８１は、回動軸８１Ａと、第１連結部８１Ｂと、第２連結部８１Ｃとを備えている。
【０１３３】
回動軸８１Ａは、左右方向に延びる略円柱形状を有している。回動軸８１Ａは、第１側板６６Ｌに回転可能に支持されている。
【０１３４】
第１連結部８１Ｂは、回動軸８１Ａから後方に延びる略平板形状を有している。
【０１３５】
第２連結部８１Ｃは、回動軸８１Ａから下方に延びる略平板形状を有している。第２連結部８１Ｃは、押圧バー７９の前端部に回転可能に連結されている。
【０１３６】
引張ばね８２は、上下方向に延びるコイルばねである。引張ばね８２の上端部は、第１連結部８１Ｂに連結されている。引張ばね８２の下端部は、フロントカバー８の後面に連結されている。引張ばね８２は、フロントカバー８の閉位置から開位置への移動に伴って、自然長よりも長く伸びる。
【０１３７】
第２押圧部６０Ｒは、図２に示すように、第２ガイド部６５Ｒよりも上方に配置されている。第２押圧部６０Ｒは、上板６７の右端部に支持されている。第２押圧部６０Ｒは、第１押圧部６０Ｌと同様の構造である。
４．プロセスカートリッジの離脱動作および装着動作
（１）離脱動作
プロセスカートリッジ１３を装置本体２から離脱させるには、作業者は、まず、図１０に示すように、フロントカバー８を閉位置から開位置へ移動させる。
【０１３８】
このとき、フロントカバー８の閉位置から開位置への移動に伴って、駆動部６３の直動カム７２が、圧縮ばね８７の付勢力によって押圧解除位置から前方へ移動するとともに、給電部６４の直動カム７６が、圧縮ばね８９の付勢力によって押圧解除位置から前方へ移動する。
【０１３９】
そして、図９に示すように、フロントカバー８が閉位置からわずかに前方へ傾倒されたときに、駆動部６３の直動カム７２が押圧位置に位置するとともに、給電部６４の直動カム７６が押圧位置に位置する。
【０１４０】
すると、本体カップリング７０は、直動カム７２の押圧解除位置から押圧位置への移動に伴って、鍔部７０Ｃが変位部７４の傾斜面７４Ａを摺動するように、係合位置から左方へ移動する。そして、本体カップリング７０は、鍔部７０Ｃが変位部７４の平行面７４Ｂに当接することにより、非係合位置に位置する。
【０１４１】
また、本体電極７７は、直動カム７６の押圧解除位置から押圧位置への移動に伴って、鍔部７７Ｂが変位部９２の傾斜面９２Ａを摺動するように、接触位置から右方へ移動する。そして、本体電極７７は、鍔部７７Ｂが変位部９２の平行面９２Ｂに当接することにより、非接触位置に位置する。
【０１４２】
このとき、図１１に示すように、本体カップリング７０は、上下方向に投影したときに第１サイドフレーム４１Ｌと重なるように、第１サイドフレーム４１Ｌの下方に配置されている。また、本体カップリング７０の第２端部Ｅ２は、駆動部６３のフレーム８５の穴８５Ａを介して、第１ガイド部６５Ｌよりも右方へ突出している。
【０１４３】
また、本体電極７７は、上下方向に投影したときに第２サイドフレーム４１Ｒと重なるように、第２サイドフレーム４１Ｒの下方に配置されている。また、本体電極７７の第２端部Ｅ３は、給電部６４のフレーム８６の穴８６Ａを介して、第２ガイド部６５Ｒよりも左方へ突出している。
【０１４４】
その後、図１０に示すように、フロントカバー８は、駆動部６３の直動カム７２および給電部６４の直動カム７６から前方へ離間して、さらに前方へ傾倒され、開位置に位置する。
【０１４５】
このとき、引張ばね８２は、フロントカバー８の開位置への移動に伴って前下方へ引っ張られる。
【０１４６】
すると、回動部材８１は、第１連結部８１Ｂが引張ばね８２の付勢力によって前下方へ引っ張られることにより、回動軸８１Ａを中心として、左側面視反時計回りに回動する。
【０１４７】
これにより、押圧バー７９は、第２連結部８１Ｃによって前上方へ引っ張られて、前上方へ平行に移動する。すると、押圧部材８３は、付勢部５０から前上方へ離間する。
【０１４８】
このとき、第１側壁４６Ｌの付勢部５０において、当接部材５３が第１サイドフレーム４１Ｌの上面に当接しているので、第１側壁４６Ｌの収容部材４０は、圧縮ばね５４の付勢力により、当接部材５３に対して上方へ付勢される。また、第２側壁４６Ｒの付勢部５０において、当接部材５３が第２サイドフレーム４１Ｒの上面に当接しているので、第２側壁４６Ｒの収容部材４０は、圧縮ばね５４の付勢力により、当接部材５３に対して上方へ付勢される。
【０１４９】
これにより、プロセスカートリッジ１３は、第１側壁４６Ｌの付勢部５０および第２側壁４６Ｒの付勢部５０の付勢力により、第１位置から第２位置へ向かって上方へ移動する。なお、プロセスカートリッジ１３の第１位置から第２位置への移動に伴って、第１側壁４６Ｌの付勢部５０の当接部材５３、および、第２側壁４６Ｒの付勢部５０の当接部材５３は、相対的に、圧縮位置から圧縮解除位置へ移動する。言い換えると、プロセスカートリッジ１３は、第１側壁４６Ｌの付勢部５０の当接部材５３が圧縮位置から圧縮解除位置へ移動するときに第１サイドフレーム４１Ｌの上面を押圧する反力と、第２側壁４６Ｒの付勢部５０の当接部材５３が圧縮位置から圧縮解除位置へ移動するときに第２サイドフレーム４１Ｒの上面を押圧する反力とで、第１位置から第２位置へ移動する。
【０１５０】
すると、図１１に示すように、プロセスカートリッジ１３の第１側壁４６Ｌのドラム支持部４９が第１位置決め板６９Ｌの位置決め凹部６９Ａから外れ、かつ、プロセスカートリッジ１３の第２側壁４６Ｒのドラム支持部４９が第２位置決め板６９Ｒの位置決め凹部６９Ａから外れる。そのときに、プロセスカートリッジ１３の感光ドラム１６は、左右方向にわたって一定の上下方向距離を隔てるように、中間転写ベルト２９から上方へ離間する。
【０１５１】
次いで、作業者は、図８Ｃに示すように、支持フレーム１２の取っ手部材５８をロック位置からロック解除位置へ移動させる。
【０１５２】
すると、ロック部材５７は、突出位置から収容位置へ移動し、係合部６５Ｃとの係合が解除される。
【０１５３】
次いで、作業者は、図１２に示すように、複数のプロセスカートリッジ１３を支持する支持フレーム１２を装置本体２から前方へ引き出し、外方位置に位置させる。
【０１５４】
その後、作業者は、図１２に破線で示すように、支持フレーム１２からプロセスカートリッジ１３を上方へ引き抜く。
【０１５５】
これにより、装置本体２からのプロセスカートリッジ１３の離脱が完了する。
（２）装着動作
また、プロセスカートリッジ１３を装置本体２に装着するには、作業者は、上記した離脱動作とは逆の手順でプリンタ１を操作する。
【０１５６】
詳しくは、作業者は、支持フレーム１２の開口１２Ａに、上方からプロセスカートリッジ１３を挿入する。これにより、プロセスカートリッジ１３は、支持フレーム１２に支持される。
【０１５７】
次いで、作業者は、図１０に示すように、複数のプロセスカートリッジ１３を支持する支持フレーム１２を装置本体２内へ押し込み、内方位置に位置させる。
【０１５８】
次いで、作業者は、図８Ｂに示すように、支持フレーム１２の取っ手部材５８をロック解除位置からロック位置へ移動させる。
【０１５９】
すると、ロック部材５７は、収容位置から突出位置へ移動し、係合部６５Ｃに係合される。
【０１６０】
次いで、作業者は、フロントカバー８を開位置から閉位置へ移動させる。
【０１６１】
すると、引張ばね８２は、フロントカバー８の閉位置への移動に伴って復元し、張力が緩む。
【０１６２】
すると、回動部材８１は、引張ばね８２の張力が緩み、図示しないコイルばねの付勢力により、回動軸８１Ａを中心として、左側面視時計回りに回動する。
【０１６３】
これにより、押圧バー７９は、第２連結部８１Ｃによって後下方へ押圧されて、後上方へ平行に移動する。すると、押圧部材８３は、付勢部５０の上面に当接し、付勢部５０の上面を下方へ押圧する。
【０１６４】
これにより、プロセスカートリッジ１３は、付勢部５０の圧縮ばね５４の付勢力に抗して、第２位置から第１位置へ向かって下方へ移動する。
【０１６５】
すると、図２に示すように、プロセスカートリッジ１３のドラム支持部４９が位置決め凹部６９Ａに係合し、プロセスカートリッジ１３の感光ドラム１６は、中間転写ベルト２９の上面に接触する。
【０１６６】
その後、フロントカバー８は、さらに閉位置へ向かって移動され、図９を参照して、駆動部６３の直動カム７２の前端部、および、給電部６４の直動カム７６の前端部に当接し、直動カム７２および直動カム７６を後方へ向かって押圧する。
【０１６７】
すると、図６に示すように、フロントカバー８が閉位置に位置したときに、駆動部６３の直動カム７２が押圧解除位置に位置するとともに、給電部６４の直動カム７６が押圧解除位置に位置する。
【０１６８】
すると、本体カップリング７０は、駆動部６３の直動カム７２の押圧位置から押圧解除位置への移動に伴って、鍔部７０Ｃが変位部７４の傾斜面７４Ａを摺動するように、非係合位置から右方へ移動する。そして、本体カップリング７０は、感光ドラム１６のカップリング凹部１６Ｃに係合することにより、係合位置に位置する。
【０１６９】
また、本体電極７７は、直動カム７６の押圧位置から押圧解除位置への移動に伴って、鍔部７７Ｂが変位部９２の傾斜面９２Ａを摺動するように、非接触位置から左方へ移動する。そして、本体電極７７は、プロセスカートリッジ１３の現像電極５６に当接することにより、接触位置に位置する。
【０１７０】
これにより、装置本体２へのプロセスカートリッジ１３の装着が完了する。このとき、押圧バー７９の前端部がフロントカバー８の後面に当接することにより、押圧バー７９が位置固定される。
【０１７１】
その後、装置本体２の図示しないモータからの駆動力がドラム駆動ギア７１に入力されるとともに、電源基板７５からの電力が現像電極５６に入力される。
【０１７２】
すると、ドラム駆動ギア７１が回転し、ドラム駆動ギア７１とともに本体カップリング７０が回転する。すると、本体カップリング７０の凸部７０Ｂが感光ドラム１６の突部１６Ｄに当接することにより、感光ドラム１６は、本体カップリング７０の回転軸線と同じ回転軸線について回転する。
【０１７３】
また、プロセスカートリッジ１３の現像ローラ１８および供給ローラ１９に所定の電力が供給される。
５．特許請求の範囲との対応関係
第１実施形態において、上下方向は、直交方向の一例である。前後方向は、スライド方向の一例である。左右方向は、軸線方向の一例である。左方は、軸線方向一方の一例である。右方は、軸線方向他方の一例である。プリンタ１は、画像形成装置の一例である。トナーは、現像剤の一例である。トナー像は、現像剤像の一例である。中間転写ベルト２９は、転写媒体の一例である。感光ドラム１６の第１フランジ部材１６Ｂは、駆動受け部材の一例である。第１側壁４６Ｌの付勢部５０、および、第２側壁４６Ｒの付勢部５０は、被押圧部の一例である。現像電極５６は、電極部材の一例である。本体カップリング７０は、駆動入力部材の一例である。本体電極７７は、給電部材の一例である。駆動部６３の直動カム７２は、第１変位部材の一例である。直動カム７２の押圧解除位置は、第１位置の一例である。直動カム７２の押圧位置は、第２位置の一例である。給電部６４の直動カム７６は、第２変位部材の一例である。直動カム７６の押圧解除位置は、第１位置の一例である。直動カム７６の押圧位置は、第２位置の一例である。圧縮ばね５４は、付勢部材の一例である。
６．作用効果
（１）このプリンタ１によれば、図３に示すように、プロセスカートリッジ１３を支持する支持フレーム１２の第１サイドフレーム４１Ｌおよび第２サイドフレーム４１Ｒは、左右方向寸法Ｌ２以下の上下方向寸法Ｌ１を有している。
【０１７４】
そのため、支持フレーム１２の第１サイドフレーム４１Ｌおよび第２サイドフレーム４１Ｒを上下方向において小型化することができる。
【０１７５】
これにより、図１１に示すように、第１サイドフレーム４１Ｌの上下方向両側のスペース、および、第２サイドフレーム４１Ｒの上下方向両側のスペースを利用して、支持フレーム１２の周辺に、第１押圧部６０Ｌ、第２押圧部６０Ｒ、駆動部６３および給電部６４などの装置本体２の構成や、付勢部５０などのプロセスカートリッジ１３の構成を配置することができる。
【０１７６】
その結果、プリンタ１の小型化を図ることができる。
【０１７７】
また、第１サイドフレーム４１Ｌおよび第２サイドフレーム４１Ｒを軽量化できるので、支持フレーム１２を外方位置に配置したときに、装置本体２の重心が前方に過度に偏ることを抑制できる。これにより、支持フレーム１２を外方位置に配置したときに、装置本体２の転倒を防止できる。
【０１７８】
また、従来のプリンタでは、支持フレームは、上下方向に延びる板状部材でプロセスカートリッジを挟んで支持している。そのため、左右方向における小型化を図る場合には、通常、板状部材の厚さ（左右方向寸法）を薄くすることが検討される。
【０１７９】
対して、このプリンタ１は、第１サイドフレーム４１Ｌおよび第２サイドフレーム４１Ｒの上下方向寸法Ｌ１を短くし、第１サイドフレーム４１Ｌの上下方向両側のスペース、および、第２サイドフレーム４１Ｒの上下方向両側のスペースを利用することにより、従来のプリンタと比べて、さらなる小型化を図ることができる。
（２）このプリンタ１によれば、図２および図５に示すように、第１サイドフレーム４１Ｌおよび第２サイドフレーム４１Ｒの上下方向寸法Ｌ１は、プロセスカートリッジ１３の上下方向寸法Ｌ４の５％以上３０％以下（好ましくは、１０％以下）であり、プロセスカートリッジ１３の左端部は、左方から見て、第１サイドフレーム４１Ｌから露出している。プロセスカートリッジ１３の右端部は、右方から見て、第２サイドフレーム４１Ｒから露出している。
【０１８０】
そのため、プロセスカートリッジ１３の左端部および右端部の大部分（上下方向寸法の７０％以上、好ましくは、９０％以上）を、第１サイドフレーム４１Ｌまたは第２サイドフレーム４１Ｒから露出させることができる。
【０１８１】
その結果、第１サイドフレーム４１Ｌまたは第２サイドフレーム４１Ｒから露出された部分において、プロセスカートリッジ１３の左端部および右端部に装置本体２の構成を容易に作用させることができる。
（３）このプリンタ１によれば、図３に示すように、第１サイドフレーム４１Ｌおよび第２サイドフレーム４１Ｒは、前後方向に延びる四角柱形状である。
【０１８２】
そのため、簡易な構成で、第１サイドフレーム４１Ｌおよび第２サイドフレーム４１Ｒの剛性を確保することができる。
（４）このプリンタ１によれば、図２および図５に示すように、プロセスカートリッジ１３は、支持フレーム１２に支持された状態で、第１サイドフレーム４１Ｌおよび第２サイドフレーム４１Ｒよりも下方に位置し、感光ドラムを支持する下方部分１３Ａと、第１サイドフレーム４１Ｌおよび第２サイドフレーム４１Ｒよりも上方に位置する上方部分１３Ｂとを有している。
【０１８３】
そのため、第１サイドフレーム４１Ｌおよび第２サイドフレーム４１Ｒよりも下方において、下方部分１３Ａに、本体カップリング７０や本体電極７７などの装置本体２の構成を容易に作用させることができるとともに、第１サイドフレーム４１Ｌおよび第２サイドフレーム４１Ｒよりも上方において、上方部分１３Ｂに、第１押圧部６０Ｌおよび第２押圧部６０Ｒなどの装置本体２の構成を容易に作用させることができる。
【０１８４】
そのため、プロセスカートリッジ１３に作用する装置本体２の構成の配置の自由度を確保することができる。
（５）このプリンタ１によれば、図６に示すように、プロセスカートリッジ１３は、下方部分１３Ａの左端部にカップリング凹部１６Ｃを有し、下方部分１３Ａの右端部に現像電極５６を有している。
【０１８５】
そのため、プロセスカートリッジ１３は、下方部分１３Ａにおいて、左方から装置本体２からの駆動力を受けるとともに、右方から装置本体２からの電力を受ける。
【０１８６】
その結果、プロセスカートリッジ１３が装置本体２から駆動力および電力を受けるときに、左右方向において、プロセスカートリッジ１３を安定に配置することができる。
（６）このプリンタ１によれば、図２に示すように、プロセスカートリッジ１３の左方に位置する本体カップリング７０と、プロセスカートリッジ１３の右方に位置する本体電極７７とを備えている。
【０１８７】
そのため、プロセスカートリッジ１３に、左方から駆動力を入力するとともに、右方から電力を供給することができる。
【０１８８】
その結果、装置本体２からプロセスカートリッジ１３に駆動力および電力を入力するときに、プロセスカートリッジ１３を安定させることができる。
【０１８９】
また、支持フレーム１２を前後方向に移動させるときに、本体カップリング７０および本体電極７７がプロセスカートリッジ１３に干渉することを防止できる。
（７）このプリンタ１によれば、図１１に示すように、本体カップリング７０の第２端部Ｅ２は、本体カップリング７０が非係合位置に位置している状態で上下方向から見て、第１ガイド部６５Ｌと第２ガイド部６５Ｒとの間に配置されている。
【０１９０】
そのため、図２および図１１に示すように、本体カップリング７０を、第２端部Ｅ２が上下方向から見て第１ガイド部６５Ｌと第２ガイド部６５Ｒとの間に配置された状態で、係合位置と非係合位置との間で移動させることができる。
【０１９１】
これにより、本体カップリング７０が非係合位置に位置している状態において、本体カップリング７０の第２端部Ｅ２が第１ガイド部６５Ｌよりも左方に配置される場合と比べて、本体カップリング７０の移動距離を短縮することができる。
【０１９２】
その結果、本体カップリング７０の移動スペースを小さくすることができ、プリンタ１の小型化を図ることができる。
【０１９３】
また、本体カップリング７０の第２端部Ｅ２は、本体カップリング７０が非係合位置に位置している状態で上下方向から見て、第１サイドフレーム４１Ｌに重なっている。
【０１９４】
そのため、第１サイドフレーム４１Ｌと上下方向に重なる空間を利用して、本体カップリング７０を効率よく配置することができる。
（８）このプリンタ１によれば、図１１に示すように、駆動部６３の直動カム７２は、上下方向から見て、第１サイドフレーム４１Ｌに重なっている。
【０１９５】
そのため、第１サイドフレーム４１Ｌと上下方向に重なる空間を利用して、直動カム７２を効率よく配置することができる。
（９）このプリンタ１によれば、図１１に示すように、本体電極７７の第２端部Ｅ３は、本体電極７７が非接触位置に位置している状態で上下方向から見て、第１ガイド部６５Ｌと第２ガイド部６５Ｒとの間に配置されている。
【０１９６】
そのため、本体電極７７を、第２端部Ｅ３が上下方向から見て第１ガイド部６５Ｌと第２ガイド部６５Ｒとの間に配置された状態で、接触位置と非接触位置との間で移動させることができる。
【０１９７】
これにより、本体電極７７が非接触位置に位置している状態において、本体電極７７の第２端部Ｅ３が第２ガイド部６５Ｒよりも右方に配置される場合と比べて、本体電極７７の移動距離を短縮することができる。
【０１９８】
その結果、本体電極７７の移動スペースを小さくすることができ、プリンタ１の小型化を図ることができる。
【０１９９】
また、本体電極７７の第２端部Ｅ３は、本体電極７７が非接触位置に位置している状態で上下方向から見て、第２サイドフレーム４１Ｒに重なっている。
【０２００】
そのため、第２サイドフレーム４１Ｒと上下方向に重なるスペースを利用して、本体電極７７を効率よく配置することができる。
（１０）このプリンタ１によれば、図１１に示すように、給電部６４の直動カム７６は、上下方向から見て、第２サイドフレーム４１Ｒに重なっている。
【０２０１】
そのため、第２サイドフレーム４１Ｒと上下方向に重なるスペースを利用して、直動カム７６を効率よく配置することができる。
（１１）このプリンタ１によれば、図２に示すように、第１ガイド部６５Ｌおよび第２ガイド部６５Ｒは、第１側板６６Ｌと第２側板６６Ｒとの間に配置されている。
【０２０２】
そのため、第１側板６６Ｌと第２側板６６Ｒとの間において、支持フレーム１２を確実に支持することができる。
（１２）このプリンタ１によれば、図２に示すように、電源基板７５を、第２側板６６Ｒと本体電極７７との間に効率よく配置できる。
（１３）このプリンタ１によれば、図５に示すように、第１サイドフレーム４１Ｌの上下方向寸法Ｌ１、および、第２サイドフレーム４１Ｒの上下方向寸法Ｌ１は、カップリング凹部１６Ｃの上下方向寸法Ｌ４よりも短い。
【０２０３】
そのため、第１サイドフレーム４１Ｌおよび第２サイドフレーム４１Ｒを、上下方向においてカップリング凹部１６Ｃよりも小型化することができる。
【０２０４】
これにより、第１サイドフレーム４１Ｌの上下方向両側のスペース、および第２サイドフレーム４１Ｒの上下方向両側のスペースを、より確保することができる。
【０２０５】
その結果、第１サイドフレーム４１Ｌの上下方向両側のスペース、および第２サイドフレーム４１Ｒの上下方向両側のスペースを利用して、支持フレーム１２の周辺に、第１押圧部６０Ｌ、第２押圧部６０Ｒ、駆動部６３および給電部６４などの他の部材を、より効率よく配置することができる。
（１４）このプリンタ１によれば、図３に示すように、支持フレーム１２は、第１サイドフレーム４１Ｌと第２サイドフレーム４１Ｒとを連結するビーム部材４２を有している。
【０２０６】
そのため、ビーム部材４２により、左右方向における支持フレーム１２の剛性を確保することができる。
（１５）このプリンタ１によれば、図３に示すように、第１サイドフレーム４１Ｌは、ビーム部材４２が嵌まる嵌合穴４５を有し、第２サイドフレーム４１Ｒは、ビーム部材４２が嵌まる嵌合穴４５を有している。
【０２０７】
そのため、ビーム部材４２を、第１サイドフレーム４１Ｌの嵌合穴４５、および、第２サイドフレーム４１Ｒの嵌合穴４５に係合させるという簡易な構成で、左右方向における支持フレーム１２の剛性を確保することができる。
（１６）このプリンタ１によれば、図２に示すように、装置本体２の第１押圧部６０Ｌは、第１側壁４６Ｌの付勢部５０を押圧する。装置本体２の第２押圧部６０Ｒは、第２側壁４６Ｒの付勢部５０を押圧する。第１側壁４６Ｌの付勢部５０は、上下方向から見たときに、第１サイドフレーム４１Ｌに重なっている。第２側壁４６Ｒの付勢部５０は、上下方向から見たときに、第２サイドフレーム４１Ｒに重なっている。
【０２０８】
そのため、第１サイドフレーム４１Ｌと上下方向に重なるスペース、および、第２サイドフレーム４１Ｒと上下方向に重なるスペースを利用して、第１側壁４６Ｌの付勢部５０、および、第２側壁４６Ｒの付勢部５０を効率よく配置することができる。
【０２０９】
また、第１側壁４６Ｌの付勢部５０には、上方から、第１押圧部６０Ｌの押圧力が加わり、下方から、第１サイドフレーム４１Ｌからの反力が加わる。第２側壁４６Ｒの付勢部５０には、上方から、第２押圧部６０Ｒの押圧力が加わり、下方から、第２サイドフレーム４１Ｒからの反力が加わる。
【０２１０】
これにより、プロセスカートリッジ１３を上下方向において安定に支持することができる。
（１７）このプリンタ１によれば、図９に示すように、フロントカバー８を閉位置から開位置へ移動させる途中で、本体カップリング７０とカップリング凹部１６Ｃとの係合が解除され、その後、図１０に示すように、本体カップリング７０とカップリング凹部１６Ｃとの係合が解除された状態で、第１側壁４６Ｌの付勢部５０に対する第１押圧部６０Ｌの押圧が解除される。また、第２側壁４６Ｒの付勢部５０に対する第２押圧部６０Ｒの押圧が解除される。
【０２１１】
そのため、本体カップリング７０とカップリング凹部１６Ｃとの係合が解除された状態で、プロセスカートリッジ１３を、第１位置から第２位置へ移動させることができる。
【０２１２】
そのため、プロセスカートリッジ１３を、第１位置から第２位置へ円滑に移動させることができる。
７．支持フレームの変形例
以下、図１３Ａおよび図１３Ｂを参照して、支持フレームの変形例を説明する。
（１）変形例の支持フレームの概要
上記した支持フレーム１２は、棒形状の第１サイドフレーム４１Ｌおよび第２サイドフレーム４１Ｒと、略棒形状のビーム部材４２とにより、プロセスカートリッジ１３が挿入される開口１２Ａを画定している。
【０２１３】
対して、変形例の支持フレーム１０１は、図１３Ａに示すように、棒形状の第１サイドフレーム１０２Ｌおよび第２サイドフレーム１０２Ｒと、略平板形状の仕切部材１０５とにより、開口１０１Ａを画定している。
（２）変形例の支持フレームの詳細
支持フレーム１０１は、図１３Ａおよび図１３Ｂに示すように、第１サイドフレーム１０２Ｌと、第２サイドフレーム１０２Ｒと、第１補強部材１０６Ｌと、第２補強部材１０６Ｒと、フロントビーム１０３と、リアビーム１０４と、複数（３つ）の仕切部材１０５とを備えている。
【０２１４】
第１サイドフレーム１０２Ｌは、支持フレーム１０１の左端部に配置されている。第１サイドフレーム１０２Ｌは、前後方向に延びる棒形状、より具体的には角柱形状を有している。第１サイドフレーム１０２Ｌは、硬質の樹脂材料からなる。第１サイドフレーム１０２Ｌは、収容部１０２Ａと、複数のスリット１０２Ｂと、第１被ガイド部１０２Ｃとを有している。
【０２１５】
第１サイドフレーム１０２Ｌの収容部１０２Ａは、第１サイドフレーム１０２Ｌの右端部に配置されている。収容部１０２Ａは、前後方向に延び、右端部が開放される略角筒形状を有している。収容部１０２Ａは、第１ガイド部６５Ｌの第１ガイド溝６５Ａよりも右方に配置され、上面において、プロセスカートリッジ１３の第１側壁４６Ｌの当接部材５３に当接する。
【０２１６】
第１サイドフレーム１０２Ｌの複数のスリット１０２Ｂは、収容部１０２Ａの上壁に設けられる３つのスリット１０２Ｂと、収容部１０２Ａの下壁に設けられる３つのスリット１０２Ｂとを含む。収容部１０２Ａの上壁に設けられる３つのスリット１０２Ｂは、収容部１０２Ａの上壁を前後方向に４等分するように、互いに前後方向に間隔を隔てて配置されている。第１サイドフレーム１０２Ｌの収容部１０２Ａの上壁に設けられるスリット１０２Ｂは、収容部１０２Ａの上壁の右端縁から左方へ凹んでいる。収容部１０２Ａの下壁に設けられる３つのスリット１０２Ｂは、収容部１０２Ａの下壁を前後方向に４等分するように、互いに前後方向に間隔を隔てて配置されている。第１サイドフレーム１０２Ｌの収容部１０２Ａの下壁に設けられるスリット１０２Ｂは、収容部１０２Ａの下壁の右端縁から左方へ凹んでいる。
【０２１７】
第１サイドフレーム１０２Ｌの第１被ガイド部１０２Ｃは、第１サイドフレーム１０２Ｌの左端部に配置されている。第１被ガイド部１０２Ｃは、前後方向に延びる略角柱形状を有している。第１被ガイド部１０２Ｃは、第１ガイド部６５Ｌの第１ガイド溝６５Ａ内に嵌まる。
【０２１８】
第２サイドフレーム１０２Ｒは、支持フレーム１０１の右端部に配置されている。第２サイドフレーム１０２Ｒは、前後方向に延びる棒形状、より具体的には角柱形状を有している。第２サイドフレーム１０２Ｒは、硬質の樹脂材料からなる。第２サイドフレーム１０２Ｒは、収容部１０２Ａと、複数のスリット１０２Ｂと、第２被ガイド部１０２Ｆを有している。
【０２１９】
第２サイドフレーム１０２Ｒの収容部１０２Ａは、第２サイドフレーム１０２Ｒの左端部に配置されている。収容部１０２Ａは、前後方向に延び、左端部が開放される略角筒形状を有している。収容部１０２Ａは、第２ガイド部６５Ｒの第１ガイド溝６５Ａよりも左方に配置され、上面において、プロセスカートリッジ１３の第２側壁４６Ｒの当接部材５３に当接する。
【０２２０】
第２サイドフレーム１０２Ｒの複数のスリット１０２Ｂは、収容部１０２Ａの上壁に設けられる３つのスリット１０２Ｂと、収容部１０２Ａの下壁に設けられる３つのスリット１０２Ｂとを含む。第２サイドフレーム１０２Ｒの収容部１０２Ａの上壁に設けられる３つのスリット１０２Ｂは、収容部１０２Ａの上壁を前後方向に４等分するように、互いに前後方向に間隔を隔てて配置されている。第２サイドフレーム１０２Ｒの収容部１０２Ａの上壁に設けられるスリット１０２Ｂは、収容部１０２Ａの上壁の左端縁から右方へ凹んでいる。第２サイドフレーム１０２Ｒの収容部１０２Ａの下壁に設けられる３つのスリット１０２Ｂは、収容部１０２Ａの下壁を前後方向に４等分するように、互いに前後方向に間隔を隔てて配置されている。第２サイドフレーム１０２Ｒの収容部１０２Ａの下壁に設けられるスリット１０２Ｂは、収容部１０２Ａの下壁の左端縁から右方へ凹んでいる。
【０２２１】
第２サイドフレーム１０２Ｒの第２被ガイド部１０２Ｆは、第２サイドフレーム１０２Ｒの右端部に配置されている。第２被ガイド部１０２Ｆは、前後方向に延びる略角柱形状を有している。第２被ガイド部１０２Ｆは、第２ガイド部６５Ｒの第１ガイド溝６５Ａ内に嵌まる。
【０２２２】
第１補強部材１０６Ｌは、第１サイドフレーム１０２Ｌの収容部１０２Ａ内に嵌まっている。第１補強部材１０６Ｌは、前後方向に延びる略棒形状、より具体的には略角柱形状を有している。第１補強部材１０６Ｌは、ステンレスなどの高い剛性を有する金属材料からなる。
【０２２３】
第２補強部材１０６Ｒは、第２サイドフレーム１０２Ｒの収容部１０２Ａ内に嵌まっている。第２補強部材１０６Ｒは、前後方向に延びる略棒形状、より具体的には略角柱形状を有している。第２補強部材１０６Ｒは、ステンレスなどの高い剛性を有する金属材料からなる。
【０２２４】
フロントビーム１０３は、支持フレーム１０１の前端部に配置されている。フロントビーム１０３は、左右方向および上下方向に延びる略平板形状を有している。フロントビーム１０３の上端部は、第１サイドフレーム１０２Ｌの上端部、および、第２サイドフレーム１０２Ｒの上端部よりも上方に配置されている。フロントビーム１０３は、２つの嵌合穴１０３Ａを有している。
【０２２５】
２つの嵌合穴１０３Ａのうちの左方の嵌合穴１０３Ａは、フロントビーム１０３の左端部に配置されている。２つの嵌合穴１０３Ａのうちの右方の嵌合穴１０３Ａは、フロントビーム１０３の右端部に配置されている。嵌合穴１０３Ａは、フロントビーム１０３の後面から前方へ凹む凹部である。嵌合穴１０３Ａは、正面視略矩形状を有している。フロントビーム１０３の左端部は、左方の嵌合穴１０３Ａにおいて、第１補強部材１０６Ｌの前端部に嵌まる。フロントビーム１０３の右端部は、右方の嵌合穴１０３Ａにおいて、第２補強部材１０６Ｒの前端部に嵌まる。
【０２２６】
リアビーム１０４は、支持フレーム１０１の後端部に配置されている。リアビーム１０４は、左右方向および上下方向に延びる略平板形状を有している。リアビーム１０４の上端部は、第１サイドフレーム１０２Ｌの上端部、および、第２サイドフレーム１０２Ｒの上端部よりも上方に配置されている。リアビーム１０４は、２つの嵌合穴１０４Ａを有している。
【０２２７】
２つの嵌合穴１０４Ａのうちの左方の嵌合穴１０４Ａは、リアビーム１０４の左端部に配置されている。２つの嵌合穴１０４Ａのうちの右方の嵌合穴１０４Ａは、リアビーム１０４の右端部に配置されている。嵌合穴１０４Ａは、リアビーム１０４の前面から後方へ凹む凹部である。嵌合穴１０４Ａは、正面視略矩形状を有している。リアビーム１０４の左端部は、左方の嵌合穴１０４Ａにおいて、第１補強部材１０６Ｌの後端部に嵌まる。リアビーム１０４の右端部は、右方の嵌合穴１０４Ａにおいて、第２補強部材１０６Ｒの後端部に嵌まる。
【０２２８】
３つの仕切部材１０５は、フロントビーム１０３とリアビーム１０４との間において、互いに前後方向に間隔を隔てて配置されている。仕切部材１０５は、左右方向に延びる略平板形状を有している。仕切部材１０５の上端部は、フロントビーム１０３およびリアビーム１０４の上端部よりも上方に配置されている。仕切部材１０５は、スリット１０２Ｂに嵌まっている。仕切部材１０５は、２つの切欠部１０５Ａを有している。
【０２２９】
２つの切欠部１０５Ａのうちの左方の切欠部１０５Ａは、仕切部材１０５の左端部に配置され、仕切部材１０５の左端縁から右方へ凹む凹部である。２つの切欠部１０５Ａのうちの右方の切欠部１０５Ａは、仕切部材１０５の右端部に配置され、仕切部材１０５の右端縁から左方へ凹む凹部である。左方の切欠部１０５Ａは、第１補強部材１０６Ｌに嵌まっている。右方の切欠部１０５Ａは、第２補強部材１０６Ｒに嵌まっている。
（３）特許請求の範囲との対応関係
この変形例において、第１サイドフレーム１０２Ｌの収容部１０２Ａは、第１カートリッジ支持部の一例である。第２サイドフレーム１０２Ｒの収容部１０２Ａは、第２カートリッジ支持部の一例である。仕切部材１０５は、ビーム部材の一例である。
（４）作用効果
（４−１）この変形例によれば、図１３Ａおよび図１３Ｂに示すように、支持フレーム１２は、第１サイドフレーム１０２Ｌに沿って前後方向に延びる第１補強部材１０６Ｌと、第２サイドフレーム１０２Ｒに沿って前後方向に延びる第２補強部材１０６Ｒとを有している。
【０２３０】
そのため、第１補強部材１０６Ｌおよび第２補強部材１０６Ｒにより、支持フレーム１２を小さく保ちつつ、前後方向における支持フレーム１２の剛性を確保することができる。
【０２３１】
これにより、支持フレーム１２を外方位置に配置したときに、支持フレーム１２の撓みを抑制できる。
（４−２）この変形例によれば、図１３Ａおよび図１３Ｂに示すように、仕切部材１０５は、第１補強部材１０６Ｌに係合する切欠部１０５Ａと、第２補強部材１０６Ｒに係合する切欠部１０５Ａとを有している。
【０２３２】
そのため、仕切部材１０５を、第１補強部材１０６Ｌおよび第２補強部材１０６Ｒに係合させるという簡易な構成で、前後方向における支持フレーム１２の剛性を確保することができる。
（４−３）この変形例においても、上記した第１実施形態と同様の作用効果を得ることができる。
８．第２実施形態
以下、図１４〜図１８を参照して、本発明の第２実施形態を説明する。以下の説明において、上記した第１実施形態と同じ部材には同じ符号を付し、その説明を省略する。
（１）第２実施形態の概要
上記した第１実施形態では、プロセスカートリッジ１３は、第１側壁４６Ｌの付勢部５０と、第２側壁４６Ｒの付勢部５０とを有しており、第１側壁４６Ｌの付勢部５０が支持フレーム１２の第１サイドフレーム４１Ｌを押圧する反力と、第２側壁４６Ｒの付勢部５０が支持フレーム１２の第２サイドフレーム４１Ｒを押圧する反力とにより、第１位置から第２位置へ移動するように構成されている。
【０２３３】
対して、第２実施形態では、図１４および図１７に示すように、プロセスカートリッジ１１１は、付勢部５０を有していない。また、第１ガイド部１１２Ｌおよび第２ガイド部１１２Ｒは、フロントカバー８の開動作に連動して上方へ移動するように構成されている。
【０２３４】
そして、プロセスカートリッジ１１１は、第１ガイド部１１２Ｌおよび第２ガイド部１１２Ｒにより、支持フレーム１２とともに、第１位置から第２位置へ移動されるように構成されている。
（２）第２実施形態の詳細
第２実施形態のプロセスカートリッジ１１１は、図１６に示すように、付勢部５０の代わりに、突出部１１１Ａを備えている以外は、第１実施形態のプロセスカートリッジ１３と同様に構成されている。
【０２３５】
突出部１１１Ａは、第１側壁４６Ｌの上下方向略中央に配置されている。突出部１１１Ａは、第１側壁４６Ｌの左面から左方へ突出し、前後方向に延びる略角柱形状を有している。なお、突出部１１１Ａは、第２側壁４６Ｒにも設けられている。
【０２３６】
第２実施形態のプリンタ１１０は、図１４および図１７に示すように、第１押圧部６０Ｌおよび第２押圧部６０Ｒを備えておらず、第１ガイド部１１２Ｌおよび第２ガイド部１１２Ｒのそれぞれが上下方向に移動可能であり、上記した変形例の支持フレーム１０１を備えている以外は、第１実施形態のプリンタ１と同様に構成されている。
【０２３７】
第１ガイド部１１２Ｌは、図１４および図１５に示すように、駆動部６３の上方に配置されている。第１ガイド部１１２Ｌは、前後方向に延びる略角柱形状を有している。第１ガイド部１１２Ｌは、ガイド溝１１２Ａと、２つのころ１１２Ｂと、４つのリンク部材１１３とを備えている。
【０２３８】
第１ガイド部１１２Ｌのガイド溝１１２Ａは、第１ガイド部１１２Ｌの右面から左方に向かって凹み、前後方向に延びている。ガイド溝１１２Ａは、断面視略矩形状を有している。ガイド溝１１２Ａの前端部は、前方へ開放されている。
【０２３９】
第１ガイド部１１２Ｌの２つのころ１１２Ｂは、第１ガイド部１１２Ｌのガイド溝１１２Ａの前端部において、互いに前後方向に間隔を隔てて配置されている。ころ１１２Ｂは、左右方向に延びる軸線について回転可能な略円板形状を有している。ころ１１２Ｂの上端部は、ガイド溝１１２Ａの下方の内面よりも上方に突出している。
【０２４０】
第１ガイド部１１２Ｌの４つのリンク部材１１３は、第１ガイド部１１２Ｌの下方において、前後方向に互いに間隔を隔てて配置されている。リンク部材１１３の上端部は、第１ガイド部１１２Ｌの下端部に回転可能に連結されている。リンク部材１１３の下端部は、駆動部６３の上壁に回転可能に連結されている。なお、最前方のリンク部材１１３は、連結部１１３Ａを備えている。
【０２４１】
第１ガイド部１１２Ｌの連結部１１３Ａは、最前方のリンク部材１１３の下端部から前方へ延びる略平板形状を有している。連結部１１３Ａは、左方の引張ばね８２の上端部に連結されている。
【０２４２】
第２ガイド部１１２Ｒは、給電部６４の上方に配置されている。第２ガイド部１１２Ｒは、前後方向に延びる略角柱形状を有している。第２ガイド部１１２Ｒは、ガイド溝１１２Ａと、２つのころ１１２Ｂと、４つのリンク部材１１３とを備えている。
【０２４３】
第２ガイド部１１２Ｒのガイド溝１１２Ａは、第２ガイド部１１２Ｒの左面から右方に向かって凹み、前後方向に延びている。ガイド溝１１２Ａは、断面視略矩形状を有している。ガイド溝１１２Ａの前端部は、前方へ開放されている。
【０２４４】
第２ガイド部１１２Ｒの２つのころ１１２Ｂは、第２ガイド部１１２Ｒのガイド溝１１２Ａの前端部において、互いに前後方向に間隔を隔てて配置されている。ころ１１２Ｂは、左右方向に延びる軸線について回転可能な略円板形状を有している。ころ１１２Ｂの上端部は、ガイド溝１１２Ａの下方の内面よりも上方に突出している。
【０２４５】
第２ガイド部１１２Ｒの４つのリンク部材１１３は、第２ガイド部１１２Ｒの下方において、前後方向に互いに間隔を隔てて配置されている。リンク部材１１３の上端部は、第２ガイド部１１２Ｒの下端部に回転可能に連結されている。リンク部材１１３の下端部は、給電部６４の上壁に回転可能に連結されている。なお、最前方のリンク部材１１３は、連結部１１３Ａを備えている。
【０２４６】
第２ガイド部１１２Ｒの連結部１１３Ａは、最前方のリンク部材１１３の下端部から前方へ延びる略平板形状を有している。連結部１１３Ａは、右方の引張ばね８２の上端部に連結されている。
（３）第２実施形態の動作
第２実施形態において、プロセスカートリッジ１１１を装置本体２から離脱させるには、作業者は、上記した第１実施形態と同様に、まず、図１７に示すように、フロントカバー８を閉位置から開位置へ移動させる。
【０２４７】
すると、上記した第１実施形態と同様に、フロントカバー８が閉位置からわずかに前方へ傾倒されたときに、駆動部６３の直動カム７２が押圧位置に位置するとともに、給電部６４の直動カム７６が押圧位置に位置する。
【０２４８】
これにより、本体カップリング７０が退避位置に位置するとともに、本体電極７７が退避位置に位置する。
【０２４９】
このとき、図１８に示すように、本体カップリング７０は、上下方向に投影したときに第１サイドフレーム１０２Ｌと重なるように、第１サイドフレーム１０２Ｌの下方に配置されている。また、複数の本体カップリング７０のそれぞれの右端部は、フレーム８５の穴８５Ａを介して、第１ガイド部１１２Ｌよりも右方へ突出している。
【０２５０】
また、本体電極７７は、上下方向に投影したときに第２サイドフレーム１０２Ｒと重なるように、第２サイドフレーム１０２Ｒの下方に配置されている。また、本体電極７７の左端部は、フレーム８６の穴８６Ａを介して、第２ガイド部１１２Ｒよりも左方へ突出している。
【０２５１】
その後、図１７に示すように、フロントカバー８がさらに前方へ傾倒され、開位置に位置すると、最前方のリンク部材１１３は、連結部１１３Ａが引張ばね８２の付勢力によって前下方へ引っ張られることにより、下端部を支点として、左側面視時計回りに回動する。
【０２５２】
これにより、第１ガイド部１１２Ｌおよび第２ガイド部１１２Ｒは、最前方のリンク部材１１３の上端部によって前上方へ引っ張られて、前上方へ平行に移動する。
【０２５３】
これにより、プロセスカートリッジ１３は、第１ガイド部１１２Ｌおよび第２ガイド部１１２Ｒの移動に伴って、係合位置から係合解除位置へ向かって上方へ移動する。
【０２５４】
すると、図１８に示すように、プロセスカートリッジ１３の感光ドラム１６は、左右方向にわたって一定の上下方向距離を隔てるように、中間転写ベルト２９から上方へ離間する。
【０２５５】
次いで、作業者は、上記した第１実施形態と同様に、４つのプロセスカートリッジ１３を支持する支持フレーム１０１を装置本体２から前方へ引き出し、外方位置に位置させた後、支持フレーム１０１からプロセスカートリッジ１３を上方へ引き抜く。
【０２５６】
これにより、装置本体２からのプロセスカートリッジ１３の離脱が完了する。
【０２５７】
また、プロセスカートリッジ１３を装置本体２に装着するには、作業者は、上記した離脱動作とは逆の手順でプリンタ１を操作する。
【０２５８】
詳しくは、作業者は、上記した第１実施形態と同様に、プロセスカートリッジ１３は、支持フレーム１０１に支持させて、４つのプロセスカートリッジ１３を支持する支持フレーム１０１を内方位置に位置させ、フロントカバー８を開位置から閉位置へ移動させる。
【０２５９】
すると、第１ガイド部１１２Ｌおよび第２ガイド部１１２Ｒは、４つのプロセスカートリッジ１３および支持フレーム１０１の自重により、後上方へ平行に移動する。
【０２６０】
すると、図１４および図１５に示すように、プロセスカートリッジ１３のドラム支持部４９が位置決め凹部６９Ａに係合し、プロセスカートリッジ１３の感光ドラム１６は、中間転写ベルト２９の上面に接触する。
【０２６１】
その後、上記した第１実施形態と同様に、フロントカバー８の閉位置への移動により、駆動部６３の直動カム７２が押圧解除位置に位置するとともに、給電部６４の直動カム７６が押圧解除位置に位置し、本体カップリング７０が係合位置に位置するとともに、本体電極７７が接触位置に位置する。
【０２６２】
これにより、装置本体２へのプロセスカートリッジ１３の装着が完了する。
（４）作用効果
第２実施形態においても、上記した第１実施形態と同様の作用効果を得ることができる。
９．その他の変形例
（１）上記した実施形態では、プロセスカートリッジの一例として、ドラムユニット１４と、現像ユニット１５とを一体的に備えるプロセスカートリッジ１３を挙げているが、カートリッジとしては、感光ドラムを有するドラムユニットと、ドラムユニットに対して着脱可能な現像ユニットとを備えるプロセスカートリッジを適用することもできる。
（２）上記した実施形態における第１サイドフレーム４１Ｌおよび第２サイドフレーム４１Ｒは、金属からなり、スライド方向に延びる中空の柱形状であってもよい。
【０２６３】
この変形例によれば、簡易な構成で、第１サイドフレーム４１Ｌおよび第２サイドフレーム４１Ｒの剛性を確保することができる。
【符号の説明】
【０２６４】
１        プリンタ
２        装置本体
１２      支持フレーム
１３      プロセスカートリッジ
１３Ａ    下方部分
１３Ｂ    上方部分
１６      感光ドラム
１６Ｂ    第１フランジ部材
４０      収容部材
４１Ｌ    第１サイドフレーム
４１Ｒ    第２サイドフレーム
４２      ビーム部材
４３      フロントビーム
４５      嵌合穴
５４      圧縮ばね
５６      現像電極
６５Ｌ    第１ガイド部
６５Ｒ    第２ガイド部
６６Ｌ    第１側板
６６Ｒ    第２側板
７０      本体カップリング
７２      直動カム
７５      電源基板
７６      直動カム
７７      本体電極
８３      押圧部材
１０１    支持フレーム
１０２Ｌ  第１サイドフレーム
１０２Ｒ  第２サイドフレーム
１０３    フロントビーム
１０３Ａ  嵌合穴
１０４    リアビーム
１０４Ａ  嵌合穴
１０５    仕切部材
１０５Ａ  切欠部
１０６Ｌ  第１補強部材
１０６Ｒ  第２補強部材
１１０    プリンタ
１１１    プロセスカートリッジ
１１２Ｌ  第１ガイド部
１１２Ｒ  第２ガイド部
Ａ１      投影面
Ａ２      部分
Ｌ１      上下方向寸法
Ｌ２      左右方向寸法
Ｌ４      上下方向寸法
Ｌ５      径方向寸法
【図１】
0006409603.tif 000002
【図２】
0006409603.tif 000003
【図３】
0006409603.tif 000004
【図４】
0006409603.tif 000005
【図５】
0006409603.tif 000006
【図６】
0006409603.tif 000007
【図７】
0006409603.tif 000008
【図８】
0006409603.tif 000009
【図９】
0006409603.tif 000010
【図１０】
0006409603.tif 000011
【図１１】
0006409603.tif 000012
【図１２】
0006409603.tif 000013
【図１３】
0006409603.tif 000014
【図１４】
0006409603.tif 000015
【図１５】
0006409603.tif 000016
【図１６】
0006409603.tif 000017
【図１７】
0006409603.tif 000018
【図１８】
0006409603.tif 000019